(57)【要約】【課題】増強されたイメージング（画像化）、又は薬剤送達、温熱療法や寒冷療法などの治療方法若しくはその他の画像化様式と共に用いられる超音波画像化方法及び装置。【解決手段】超音波標的（ターゲット）に結合する温度依存性造影剤の温度及び超音波反射率の変化を引き起こすことにより超音波検出を増強する。【特許請求の範囲】
【請求項１】
（１）超音波ターゲットに結合しかつ温度の変化に応じて音響反射率の変化を引き起こす非気体性音響画像化物質を該超音波ターゲットに投与すること、及び
（２）前記超音波ターゲットと結合した前記非気体性音響画像化物質の音響反射率に測定可能な変化を引き起こすよう温度を変化させること
を含むことを特徴とする超音波ターゲットの音響反射率の変化方法。
【請求項２】
前記非気体性音響画像化物質は、液体フルオロカーボンを含むエマルジョンから構成されることを特徴とする請求項１に記載の方法。
【請求項３】
前記フルオロカーボンは、ペルフルオロオクタンであることを特徴とする請求項２に記載の方法。
【請求項４】
前記非気体性音響画像化物質は、前記超音波ターゲットに結合するリガンドを有することを特徴とする請求項１に記載の方法。
【請求項５】
前記リガンドは、抗体、抗体のフラグメント、ポリペプチド、ペプチド様物質、多糖、アプタマー、脂質、核酸、又はレクチンであることを特徴とする請求項４に記載の方法。
【請求項６】
前記非気体性音響画像化物質は、ビオチン剤と結合したリガンド、ビオチン剤と結合したエマルジョン、及び該ビオチン結合リガンド及び該ビオチン結合エマルジョンに固定化されたアビジン剤を含むことを特徴とする請求項５に記載の方法。
【請求項７】
前記非気体性音響画像化物質は、エマルジョンに固定化されたプライマー物質に固定化されたリガンドを含むことを特徴とする請求項５に記載の方法。
【請求項８】
前記エマルジョンは、更に、生理活性剤を含むことを特徴とする請求項１に記載の方法。
【請求項９】
前記生理活性剤は、抗悪性腫瘍剤、放射性医薬製剤、ホルモン、鎮痛剤、非ステロイド系抗炎症剤、麻酔剤、鎮静剤、神経筋遮断剤、抗菌剤、抗寄生虫剤、抗ウイルス剤、インターフェロン、硝酸塩、 ざ瘡製剤、アンドロゲン剤、抗糖尿病剤、抗痛風剤、抗ヒスタミン剤、鎮咳剤、鬱血除去剤、去痰剤、抗潰瘍剤、下剤、抗凝血剤、免疫化剤、抗痙攣剤、抗パーキンソン剤、エストロゲン様製剤、甲状腺製剤、又は鉄含有抗貧血剤であること
を特徴とする請求項８に記載の方法。
【請求項１０】
前記非気体性音響画像化物質は、更に、磁気共鳴画像化物質、電子スピン共鳴画像化物質、分光画像化物質、陽電子放射断層撮影用画像化物質、光学画像化物質、Ｘ線画像化物質、核医学用画像化物質、又はこれらの組み合わせを含むことを特徴とする請求項１に記載の方法。
【請求項１１】
前記分光画像化物質は、核磁気共鳴分光画像化物質又はラマン分光画像化物質を含むことを特徴とする請求項１０に記載の方法。
【請求項１２】
前記非気体性音響画像化物質は、常磁性又は超常磁性素子、放射性核種、又は光活性剤を含むことを特徴とする請求項１１に記載の方法。
【請求項１３】
前記温度の変化は、前記結合した非気体性音響画像化物質を活性化して、該結合非気体性音響画像化物質の温度を上昇し、かつその表面の音響反射率を増加することを含むことを特徴とする請求項１に記載の方法。
【請求項１４】
前記活性化は、超音波、短波、マイクロ波、磁気照射、電磁エネルギー、又はこれらの組み合わせからエネルギーを生成することによって行なわれることを特徴とする請求項１３に記載の方法。
【請求項１５】
前記結合非気体性音響画像化物質の温度の変化は、該結合非気体性音響画像化物質の温度を低下して、前記超音波ターゲットの音響反射率の測定可能な低下を引き起こすことを含むことを特徴とする請求項１に記載の方法。
【請求項１６】
前記結合非気体性音響画像化物質の温度の低下は、寒冷療法又は心臓バイパス形成手術の一環として実行されることを特徴とする請求項１５に記載の方法。
【請求項１７】
前記温度の変化は、少なくとも５℃毎の前記結合非気体性音響画像化物質の温度の変化を含むことを特徴とする請求項１に記載の方法。
【請求項１８】
（１）超音波ターゲットに結合しかつ温度の変化に応じて音響反射率の変化を引き起こす非気体性音響画像化物質を該超音波ターゲットに投与すること、
（２）前記超音波ターゲットと結合した前記非気体性音響画像化物質の音響反射率に測定可能な変化を引き起こすよう温度を変化させること、及び
（３）前記結合した非気体性音響画像化物質の音響反射率の変化を検出すること
を含むことを特徴とする超音波ターゲットの増強された音響反射率の測定方法。
【請求項１９】
前記検出は、
（ａ）前記結合非気体性音響画像化物質の温度を変化する前に反射率を測定すること、
（ｂ）前記結合非気体性音響画像化物質の温度を変化した後に反射率を測定すること、及び
（ｃ）前記結合非気体性音響画像化物質の温度を変化する前の反射率に対する前記結合非気体性音響画像化物質の温度を変化した後の反射率の変化を決定すること
を含むことを特徴とする請求項１８に記載の方法。
【請求項２０】
前記非気体性音響画像化物質は、液体フルオロカーボンを含むエマルジョンから構成されることを特徴とする請求項１９に記載の方法。
【請求項２１】
前記フルオロカーボンは、ペルフルオロオクタンであることを特徴とする請求項２０に記載の方法。
【請求項２２】
前記非気体性音響画像化物質は、前記超音波ターゲットに結合するリガンドを有することを特徴とする請求項１９に記載の方法。
【請求項２３】
前記リガンドは、抗体、抗体のフラグメント、ポリペプチド、ペプチド様物質、多糖、アプタマー、脂質、核酸、又はレクチンであることを特徴とする請求項２２に記載の方法。
【請求項２４】
前記非気体性音響画像化物質は、ビオチン剤と結合したリガンド、ビオチン剤と結合したエマルジョン、及び該ビオチン結合リガンド及び該ビオチン結合エマルジョンに固定化されたアビジン剤を含むことを特徴とする請求項２３に記載の方法。
【請求項２５】
前記非気体性音響画像化物質は、エマルジョンに固定化されたプライマー物質に固定化されたリガンドを含むことを特徴とする請求項２３に記載の方法。
【請求項２６】
前記エマルジョンは、更に、生理活性剤を含むことを特徴とする請求項１９に記載の方法。
【請求項２７】
前記生理活性剤は、抗悪性腫瘍剤、放射性医薬製剤、ホルモン、鎮痛剤、非ステロイド系抗炎症剤、麻酔剤、鎮静剤、神経筋遮断剤、抗菌剤、抗寄生虫剤、抗ウイルス剤、インターフェロン、硝酸塩、 ざ瘡製剤、アンドロゲン剤、抗糖尿病剤、抗痛風剤、抗ヒスタミン剤、鎮咳剤、鬱血除去剤、去痰剤、抗潰瘍剤、下剤、抗凝血剤、免疫化剤、抗痙攣剤、抗パーキンソン剤、エストロゲン様製剤、甲状腺製剤、又は鉄含有抗貧血剤であることを特徴とする請求項２６に記載の方法。
【請求項２８】
前記非気体性音響画像化物質は、更に、磁気共鳴画像化物質、電子スピン共鳴画像化物質、分光画像化物質、陽電子放射断層撮影用画像化物質、光学画像化物質、Ｘ線画像化物質、核医学用画像化物質、又はこれらの組み合わせを含むこと
を特徴とする請求項１９に記載の方法。
【請求項２９】
前記分光画像化物質は、核磁気共鳴分光画像化物質又はラマン分光画像化物質を含むことを特徴とする請求項２８に記載の方法。
【請求項３０】
前記非気体性音響画像化物質は、常磁性又は超常磁性素子、放射性核種、又は光活性剤を含むことを特徴とする請求項２９に記載の方法。
【請求項３１】
前記温度の変化は、前記結合した非気体性音響画像化物質を活性化して、該結合非気体性音響画像化物質の温度を上昇し、かつその表面の音響反射率を増加することを含むことを特徴とする請求項１９に記載の方法。
【請求項３２】
前記活性化は、超音波、短波、マイクロ波、磁気照射、電磁エネルギー、又はこれらの組み合わせからのエネルギーを生成することによって行なわれることを特徴とする請求項３１に記載の方法。
【請求項３３】
前記結合非気体性音響画像化物質の温度の変化は、該結合非気体性音響画像化物質の温度を低下して、前記超音波ターゲットの音響反射率の測定可能な低下を引き起こすことを含むこと
を特徴とする請求項１９に記載の方法。
【請求項３４】
前記結合非気体性音響画像化物質の温度の低下は、寒冷療法又は心臓バイパス形成手術の一環として実行されることを特徴とする請求項３３に記載の方法。
【請求項３５】
前記温度の変化は、少なくとも５℃毎の前記結合非気体性音響画像化物質の温度の変化を含むことを特徴とする請求項１９に記載の方法。
【請求項３６】
（１）組織に結合しかつ温度の変化に応じて音響反射率の変化を引き起こす非気体性音響画像化物質を患者に投与すること、
（２）前記組織に結合した前記非気体性音響画像化物質の音響反射率を検出すること、及び
（３）前記組織に結合した前記非気体性音響画像化物質の温度を計算すること
を含むことを特徴とする患者の組織の温度モニター方法。
【請求項３７】
前記方法は、更に、前記組織及び該組織に結合した前記非気体性音響画像化物質の温度を変化することを含むこと、及び
前記検出は、前記組織に結合した前記非気体性音響画像化物質の音響反射率の変化の検出を含むことを特徴とする請求項３６に記載の方法。
【請求項３８】
前記非気体性音響画像化物質は、液体フルオロカーボンを含むエマルジョンから構成されることを特徴とする請求項３６に記載の方法。
【請求項３９】
前記フルオロカーボンは、ペルフルオロオクタンであることを特徴とする請求項３８に記載の方法。
【請求項４０】
前記非気体性音響画像化物質は、前記組織に結合するリガンドを有することを特徴とする請求項３６に記載の方法。
【請求項４１】
前記リガンドは、抗体、抗体のフラグメント、ポリペプチド、ペプチド様物質、多糖、アプタマー、脂質、核酸、又はレクチンであることを特徴とする請求項４０に記載の方法。
【請求項４２】
前記非気体性音響画像化物質は、ビオチン剤と結合したリガンド、ビオチン剤と結合したエマルジョン、及び該ビオチン結合リガンド及び該ビオチン結合エマルジョンに固定化されたアビジン剤を含むことを特徴とする請求項４１に記載の方法。
【請求項４３】
前記非気体性音響画像化物質は、エマルジョンに固定化されたプライマー物質に固定化されたリガンドを含むことを特徴とする請求項４１に記載の方法。
【請求項４４】
前記エマルジョンは、更に、生理活性剤を含むことを特徴とする請求項３６に記載の方法。
【請求項４５】
前記生理活性剤は、抗悪性腫瘍剤、放射性医薬製剤、ホルモン、鎮痛剤、非ステロイド系抗炎症剤、麻酔剤、鎮静剤、神経筋遮断剤、抗菌剤、抗寄生虫剤、抗ウイルス剤、インターフェロン、硝酸塩、 ざ瘡製剤、アンドロゲン剤、抗糖尿病剤、抗痛風剤、抗ヒスタミン剤、鎮咳剤、鬱血除去剤、去痰剤、抗潰瘍剤、下剤、抗凝血剤、免疫化剤、抗痙攣剤、抗パーキンソン剤、エストロゲン様製剤、甲状腺製剤、又は鉄含有抗貧血剤であることを特徴とする請求項４４に記載の方法。
【請求項４６】
前記非気体性音響画像化物質は、更に、磁気共鳴画像化物質、電子スピン共鳴画像化物質、分光画像化物質、陽電子放射断層撮影用画像化物質、光学画像化物質、Ｘ線画像化物質、核医学用画像化物質、又はこれらの組み合わせを含むことを特徴とする請求項３６に記載の方法。
【請求項４７】
前記分光画像化物質は、核磁気共鳴分光画像化物質又はラマン分光画像化物質を含むことを特徴とする請求項４６に記載の方法。
【請求項４８】
前記非気体性音響画像化物質は、常磁性又は超常磁性素子、放射性核種、又は光活性剤を含むことを特徴とする請求項４７に記載の方法。
【請求項４９】
前記温度の変化は、前記結合した非気体性音響画像化物質を活性化して、該結合非気体性音響画像化物質の温度を上昇し、かつその表面の音響反射率を増加することを含むことを特徴とする請求項３６に記載の方法。
【請求項５０】
前記活性化は、超音波、短波、マイクロ波、磁気照射、電磁エネルギー、又はこれらの組み合わせからのエネルギーを生成することによって行なわれることを特徴とする請求項４９に記載の方法。
【請求項５１】
前記結合非気体性音響画像化物質の温度の変化は、前記組織の音響反射率の測定可能な低下を引き起こすために、該結合非気体性音響画像化物質の温度を低下することを含むことを特徴とする請求項３６に記載の方法。
【請求項５２】
前記結合非気体性音響画像化物質の温度の低下は、寒冷療法又は心臓バイパス形成手術の一環として実行されることを特徴とする請求項５１に記載の方法。
【請求項５３】
前記温度の変化は、少なくとも５℃毎の前記結合非気体性音響画像化物質の温度の変化を含むことを特徴とする請求項３６に記載の方法。
【請求項５４】
ターゲットと結合する温度感受性音響画像化物質を有し、ターゲットの温度変化を測定する測定装置において、該装置は、
前記温度感受性音響画像化物質の温度を変化するよう構成される要素、
前記ターゲットに音響エネルギーを送達するよう構成される超音波源、
その表面の音響反射率を測定するよう構成される超音波検出要素、及び
温度変化がない場合の前記ターゲットの音響反射率に対する、温度変化の際の前記ターゲットの音響反射率を決定するコンパレータ
を有することを特徴とする測定装置。
【請求項５５】
前記コンパレータは、前記ターゲットに結合した前記温度感受性音響画像化物質の温度変化の前後における該ターゲットの音響反射率の差を決定すること
を特徴とする請求項５４に記載の装置。
【請求項５６】
前記コンパレータは、前記ターゲットに結合した前記温度感受性音響画像化物質の変化される温度が低下された後の該ターゲットの音響反射率に対する、該ターゲットに結合した該温度感受性音響画像化物質の温度変化の際の該ターゲットの音響反射率の差を決定することを特徴とする請求項５５に記載の装置。
【請求項５７】
前記超音波源及び前記超音波画像化要素は、少なくとも１つの超音波トランスデューサを有することを特徴とする請求項５４に記載の装置。
【請求項５８】
前記温度感受性音響画像化物質の温度を変化するよう構成される要素は、エネルギー源を有することを特徴とする請求項５４に記載の装置。
【請求項５９】
前記エネルギー源は、超音波、短波、マイクロ波、磁気照射、電磁エネルギー、又はそれらの組み合わせを生成することを特徴とする請求項５８に記載の装置。
【請求項６０】
前記エネルギー源は、０．１Ｗ／ｃｍ２より大きく２０００Ｗ／ｃｍ２より小さい強度を有する超音波エネルギー源であることを特徴とする請求項５９に記載の装置。
【請求項６１】
前記温度感受性音響画像化物質の温度を変化するよう構成される要素は、エネルギーアブソーバーであることを特徴とする請求項５４に記載の装置。
【請求項６２】
前記エネルギーアブソーバーは、低温プローブを有することを特徴とする請求項６１に記載の装置。
【請求項６３】
前記温度感受性音響画像化物質の温度を変化するよう構成される要素は、少なくとも５℃毎に前記結合した温度感受性音響画像化物質の温度を変化するよう構成されること
を特徴とする請求項５４に記載の装置。
【請求項６４】
前記コンパレータは、前記温度感受性音響画像化物質の温度の上昇前後におけるターゲット表面の音響反射率の差を含む画像を生成するよう構成されること
を特徴とする請求項５４に記載の装置。
【請求項６５】
前記コンパレータは、前記温度感受性音響画像化物質の温度の上昇前後におけるターゲット表面の音響反射率の差を含むカラー画像を生成するよう構成されること
を特徴とする請求項６４に記載の装置。
【請求項６６】
磁気共鳴映像法、電子スピン共鳴映像法、分光映像法、陽電子放射断層撮影法、光学的映像法、Ｘ線映像法、核医学映像法、又はこれらの組み合わせを実行するよう構成される要素を更に有すること
を特徴とする請求項５４に記載の装置。
【請求項６７】
前記分光映像法は、核磁気共鳴分光映像法又はラマン分光映像法を含むこと
を特徴とする請求項６６に記載の装置。
【発明の詳細な説明】
【技術分野】
【０００１】
本発明は、一般に、超音波検出及び画像法（イメージング）に関し、より好ましくは、ターゲットに結合した温度依存性造影剤の温度の変化に基づき超音波反射率の変化を検出するための新規な組成物、方法及び装置に関する。
【背景技術】
【０００２】
分子映像法（分子イメージング）は、部位標的造影剤を用いた組織中の分子マーカーの特異的検出を可能にすることによって、伝統的な臨床的映像法の有用性を向上することができる (Weissleder、Radiology、1999年、212巻、609-614頁)。部位標的超音波（造影）剤に対する３つのアプローチが報告されているが、これらは、リポソームの使用 (Alkan-Onyukselら、 J. Pharm. Sci、1996年、85巻、486-490頁; Demosら、J． Pharm. Sci.、 1997年、86巻、167-171頁; Demosら、J. Am. Col. Cardiol.、1999年、33巻、867-875頁)、微小気泡の使用 (Mattreyら、Am. J. Cardiol.、1984年、54巻、206-210頁; Ungerら、Am. J. Cardiol.、1998年、81巻、58G-61G; Villanuevaら、Circulation、1998年、98巻、1-5頁; Klibanovら、Acad. Radiol.、1998年、5巻、S243-S246頁) 又はナノエマルジョンの使用 (Lanzaら、Circulation、1996年、94巻、3334-3340頁; Lanzaら、J. Acoust. Soc. Am.、1998年、104巻、3665-3672頁; Lanzaら、Ultrasound Med. Biol.、1997年、23巻、863-870頁) に基づいている。リポソームは、水中においてリン脂質により自然に形成される球形の二重膜小胞である。脱水−再水和プロセスにより生成される多層脂質二分子膜は、リポソームの内部において内部小胞を形成し、音響反射率を増加させることができる (Alkan-Onyukselら、1996年、上記; Demosら、 1997年、上記; Demosら、1999年、上記)。 第２のアプローチでは、その灌流適用に加えて部位標的様式のために、微小気泡が提案された。微小気泡は、血栓 (Ungerら、1998年、上記; Lanzaら、Ultrasound. Med. Biol.、1997年、23巻、863-870頁)、アビジン被覆ペトリ皿 (Klibanovら、1998年、上記) 及び活性化内皮細胞 (Villanueva et al., 1998, supra) を標的としていた。血栓と部位標的剤との相互作用の試験を行なった研究者もいた。とりわけ、アンガー等は、in vitro及びin vivoの何れにおいてもMRX-408（気泡ベースの造影剤）が首尾良く結合したのを観察した (Ungerら、1998年、上記)。
【０００３】
部位標的ナノエマルジョンは、脂質被包性液体ペルフルオロカーボンナノパーティクルからなる非気体音響造影剤である(Lanzaら、米国特許第5,690,907号;同第5,780,010号;及び同第5,958,371号参照)。ナノパーティクルは、直径約２５０ｎｍである。ペルフルオロカーボンナノパーティクルエマルジョンは、in vitro及びin vivoの血栓調製物を標的とした場合、かなり大きい音響的コントラストを示した (Lanzaら、1998年、上記; Lanzaら、1997年、上記)。
【０００４】
部位標的造影剤の使用に際して直面する問題の１つとして、周囲の柔組織からの該パーティクルの高感度検出及び区別化がある。標的基質自体が音響発生性を有し又は当該基質表面からの信号が少々視界又は角度依存性でありうるので、血管表面上又はその近傍における病理学的変化の検出には障害が生じることがある。このような問題を解決しようとするなかで画像化技術が発達した。柔組織からの血流中の微小気泡の区別化を可能とするために第二高調波又は高調波及びパワー高調波ドップラーイメージングが使用された（Burnsら、Clinical Radiol.、1996年、51巻、50-55頁; Kasprzakら、Am. J. Cardiol.、1999年、83巻、211-217頁; Seniorら、Am. Heart J.、2000年、139巻、245-251頁; Spencerら、J. Am. Soc. Echo.、2000年、13巻、131-138頁参照）。しかしながら、柔組織もまた、第二高調波の後方散乱信号を発生する。更に、造影剤は、ドップラー技術の感度に対して余りにも遅い速度を示すことがある。微小気泡の後方散乱断面の増加の原因である共鳴現象とは異なり、部位標的ナノパーティクルエマルジョンからの反射増強を大きくする機構は、パーティクルが結合する表面における音響インピーダンスのミスマッチが原因であると報告されている（Lanzaら、1998年、上記）。それゆえ、部位標的音響造影剤、及びとりわけナノエマルジョン造影剤が造影剤として使用するにもかかわらず、より大きいコントラストを生成する手法を開発することにより、高感度の超音波分子イメージングシステムを実現できるかもしれない。
【０００５】
低速で超音波を伝送するペルフルオロカーボン液（複数）が知られている（Lagemannら、J. Am. Chem Soc.、1948年、70巻、2994-2996頁; Gupta、 Acustica、1979年、42巻、 273-277頁）。これらの物質を通る超音波の小さな速度は、温度上昇と共に直線的に超音波の速度が低下する温度依存性であることが示された（Narayanaら、Acoustics Letters、1986年、9巻、137-143頁）。この観察結果により音響レンズ（Id.）が開発可能であることが報告された。それにもかかわらず、ペルフルオロカーボン液内での超音波の速度の温度依存性の、超音波イメージングシステムへの適用可能性については、未だ提案されていない。
【０００６】
超音波エネルギーは、上述のような超音波イメージング法において部位標的造影剤へと適用された。この以前の仕事の多くは分子イメージングに注がれており、そのため低レベルの超音波エネルギーしか使用されず、標的とされた表面の温度変化が起こることについては報告されなかった。微小気泡超音波イメージングシステムでは、気体の微小気泡を形成するために液体前駆物質に十分なエネルギーが加えられた（Lohrmannら、米国特許第5,536,489号; Unger, 米国特許第5,542,935号）。提案された１つの手法によれば、相変化をin vivoで引き起こすためにエネルギーが加えられる。そのような手法では、温度変化は、気体状前駆体を気体状微小気泡へ変化させることに使用されるものであり、これら以前の研究はいずれも、液体状態を維持する超音波造影剤の温度を変化させること、又は超音波検出を向上するための基礎としての非気体性造影剤の温度の変化を利用することについては開示も示唆もしていない。
【発明の開示】
【発明が解決しようとする課題】
【０００７】
従って、コントラストを向上しかつ超音波分子イメージングシステムの感度を大きくする手法の開発に対する必要性が引き続き存在する。
【課題を解決するための手段】
【０００８】
それゆえ、本発明者らは、この課題解決のために、非気体状フルオロカーボン液を含みかつ標的（ターゲット）に結合するナノパーティクルの温度の変化が、該ターゲットの音響反射率に検出可能な変化を引き起こすということを首尾よく発見した。当該ターゲットに隣接するがナノパーティクルによって結合されない非標的領域は、音響反射率の変化をほとんど示さないか、検出可能なほどには示さない。その結果、部位標的ナノパーティクルの音響反射率の温度依存性の変化により、超音波反射（率）の感度の大きな測定、及びコントラストの大きなイメージング（画像化）が可能となる。
【０００９】
本発明の一実施形態では、超音波ターゲットの音響反射率の変化方法が提供される。この方法は、（１）当該超音波ターゲットに結合しかつ温度の変化に応じて音響反射率の変化を引き起こす非気体性音響画像化（造影）物質を該超音波ターゲットに投与すること、及び（２）前記超音波ターゲットと結合した前記非気体性音響画像化物質の音響反射率に測定可能な変化を引き起こすよう温度を変化させること、を特徴とする。非気体性音響画像化物質は、好ましくは、液体フルオロカーボンを含むナノパーティクルエマルジョンから構成される。非気体性音響画像化物質は、好ましくは、超音波ターゲットと結合するリガンドを含む。
【００１０】
本発明の他の一実施形態では、超音波ターゲットの増強された音響反射率の測定方法が提供される。この方法は、（１）当該超音波ターゲットに結合しかつ温度の変化に応じて音響反射率の変化を引き起こす非気体性音響画像化（造影）物質を該超音波ターゲットに投与すること、（２）前記超音波ターゲットと結合した前記非気体性音響画像化物質の音響反射率に測定可能な変化を引き起こすよう温度を変化させること、及び（３）前記結合した非気体性音響画像化物質の音響反射率の変化を検出すること、を特徴とする。音響反射率の変化の検出は、好ましくは、（ａ）前記結合非気体性音響画像化物質の温度を変化する前に反射率を測定すること、（ｂ）前記結合非気体性音響画像化物質の温度を変化した後に反射率を測定すること、及び（ｃ）前記結合非気体性音響造影物質の温度を変化する前の反射率に対する前記結合非気体性音響画像化物質の温度を変化した後の反射率の変化を決定すること、を含む。
【００１１】
本発明の他の一実施形態では、患者の組織の温度のモニター方法が提供される。該方法は、（１）前記組織に結合しかつ温度の変化に応じて音響反射率の変化を引き起こす非気体性音響画像化（造影）物質を該患者に投与すること、（２）前記組織に結合した前記非気体性音響画像化物質の音響反射率を検出すること、及び（３）前記組織に結合した前記非気体性音響画像化物質の温度を計算することを特徴とする。この方法では、好ましくは、温度の変化をモニターし、更に、この方法では、前記組織及び該組織に結合した前記非気体性音響画像化物質の温度を変化すること、を含む。音響反射率の検出は、前記組織に結合した前記非気体性音響画像化物質の音響反射率の変化の検出を含む。
【００１２】
本発明の一側面によれば、温度の変化は、結合した非気体性ナノパーティクルを活性化して該結合物質の温度を上昇しかつ該ターゲットの音響反射率を増強することによって惹起可能である。ナノパーティクルは、超音波、短波、マイクロ波、磁気照射、電磁エネルギー、又はこれらの組み合わせによって活性化可能である。
【００１３】
本発明の他の一側面によれば、前記ターゲットの音響反射率の測定可能な低下を引き起こすために、結合ナノパーティクルの温度を低下することができる。
【００１４】
本発明の方法は、ナノパーティクルに組み込まれる生理活性剤と一緒の投与と共に使用することができる。更に、例えば磁気共鳴映像法、電子スピン共鳴映像法、分光（スペクトロスコピック）映像法、陽電子放射断層撮影法、光学的映像法、Ｘ線映像法、核医学映像法、又はこれらの組み合わせのような他のイメージング技術の使用に好適な１又は２以上の画像化物質をナノパーティクルに組み込むことにより音響イメージングと共に他のイメージング技術を使用することも可能である。
【００１５】
本発明の他の一実施形態によれば、ターゲットと結合する温度感受性音響画像化（造影）物質を有し、ターゲットの温度変化を測定する測定装置が提供される。該装置は、前記温度感受性音響画像化物質の温度を変化するよう構成される要素、前記ターゲットに音響エネルギーを送達するよう構成される超音波源、その表面の音響反射率を測定するよう構成される超音波検出要素、及び温度変化がない場合の前記ターゲットの音響反射率に対する、温度変化の際の前記ターゲットの音響反射率を決定するコンパレータ（比較測定器）を含むことを特徴とする。１つの側面によれば、コンパレータは、前記ターゲットに結合した前記温度感受性音響画像化物質の温度変化の前後における該ターゲットの音響反射率の差を決定する。他の一側面によれば、コンパレータは、前記ターゲットに結合した前記温度感受性音響画像化物質の変化される温度が低下された後の該ターゲットの音響反射率に対する、該ターゲットに結合した該温度感受性音響画像化物質の温度変化の際の該ターゲットの音響反射率の差を決定する。温度変化要素は、前記ターゲットに結合した温度感受性音響画像化物質の温度を上昇するエネルギー源、又は前記ターゲットに結合した温度感受性音響画像化物質の温度を低下するエネルギーアブソーバーを含みうる。
【００１６】
上記の装置は、例えば、磁気共鳴映像法、電子スピン共鳴映像法、分光映像法、陽電子放射断層撮影法、光学的映像法、Ｘ線映像法、核医学映像法、又はこれらの組み合わせのような、少なくとも１つの他のイメージング（映像化）技術を実行する要素も含みうる。
【発明の効果】
【００１７】
以上より、本発明により達成される幾つかの利点の中でも、ターゲットの音響反射率を増強する方法の提供；音響的に反射性である周囲の組織から、標的組織を区別するための方法の提供；組織の温度の検出及びモニター（監視）するための方法の提供；温度変化を伴う治療上の措置中に実行するような、温度変化を検出するための方法の提供；及び上記各方法を実行するための装置の提供に注目すべきである。
【発明を実施するための最良の形態】
【００１８】
本発明によれば、超音波ターゲットの音響反射率の検出は、該超音波ターゲットに結合しかつ温度の変化と共に音響反射率に測定可能な変化を引き起こす非気体性音響画像化（造影）物質の温度を変化することによって増強され得るということが発見された。
【００１９】
音響画像化物質は、好ましくは、先に記載された（米国特許第5,780,010号、同第5,958,371号、及び同第5,989,520号参照）ようなナノパーティクルエマルジョンである。本発明のナノパーティクルエマルジョンは、完全に分散される少なくとも２つの不混和性液体、好ましくは例えば油のような水中で分散される疎水性材料、から構成される。エマルジョンは、典型的には直径が０.１μｍより大きい小滴又はナノパーティクルの形態をとる。エマルジョンナノパーティクルの安定性を高めるため、界面活性剤又は微細粉末（finely-divided solids）のような添加物をエマルジョンナノパーティクルに組み込むこともできる。
【００２０】
水中油型エマルジョンの油相は、エマルジョンの質量に関し、好ましくは５〜５０質量％、より好ましくは２０〜４０質量％である。油又は疎水成分は、温度の変化（即ち、プラス又はマイナス方向への変化）と共に変化する音響インピーダンスを示し、好ましくはフルオロケミカル液体である。これらのフルオロケミカルは、直鎖状、有枝鎖状、及び環状ペル（過）フルオロカーボン、直鎖状、有枝鎖状、及び環状ペルフルオロ第三アミン、直鎖状、有枝鎖状、及び環状ペルフルオロエーテル及びチオエーテル、クロロフルオロカーボン、及びペルフルオロエーテル重合体等を含む。５０％まで水素が置換された化合物を使用することも可能であるが、ペルハロゲン（過ハロゲン）化合物が好ましい。最も好ましいのは、フッ素化（フッ素置換）化合物である。フルオロケミカル液体、即ち大気圧下、体温（例えば３７℃）以上の温度で液体である物質、であればなんでも、本発明のフルオロケミカルエマルジョンを調製するために使用することができる。しかしながら、多くの目的に供するためには、安定性がより高められたエマルジョンフルオロケミカルが好ましい。そのようなエマルジョンを得るためには、５０℃より大きい沸点を有するフルオロケミカル液体が好ましく、最も好ましくは凡そ８０℃より大きい沸点を有するフルオロケミカル液体である。指針をなす決定的要因は、熱誘導及び画像化を意図した条件下において、例えばフルオロケミカル等の油が液相中に残存する（気体への転化は１０％未満）ようにすることであろう。
【００２１】
本発明のナノパーティクルエマルジョンについて、本書において用語「非気体性」又は「液体」について言及する場合、ナノパーティクルの内部体積の１０％未満が、ナノパーティクルの全体積に対し（即ち、ｖ／ｖで）気相をなすことを意味するよう意図しているが、この値は、好ましくは凡そ８％（ｖ／ｖ）以下、より好ましくは５％（ｖ／ｖ）以下、最も好ましくは２％（ｖ／ｖ）以下である。ここで使用した用語「凡そ」は、表示した数値の前後の値（１０％）の範囲を含むことを意図している。例えば、凡そ８％とは、７．２％〜８．８％の範囲の値を含むことを意図している。
【００２２】
本発明のナノパーティクルエマルジョンは、脂質でカプセル被膜化されていると好ましい。特別な実施形態では、脂質カプセル被膜化パーティクルは、ペルフルオロカーボンから構成されてもよいが、このエマルジョンパーティクルは、誘導体化された天然又は合成リン脂質、脂肪酸、コレステロール、脂質、スフィンゴミエリン、トコフェロール、糖脂質、ステリルアミン、カルジオリピン、エーテル又はエステル結合した脂肪酸を有する脂質、又は脂質重合体からなる外膜を有する。
【００２３】
フルオロカーボンエマルジョン、とりわけペルフルオロカーボンエマルジョンは、生物医学的分野への適用に好適であり、本発明のパーティクルでの使用にも好適である。ペルフルオロカーボンエマルジョンは、安定で、生物学的に不活性で、主として経肺胞蒸発（trans-pulmonic alveolae evaporation）によって容易に代謝されることが知られている。更に、その粒子サイズは小さいため、経肺通路（transpulmonic passage）に容易に適応し、かつその循環の半減期（４〜８時間）は、他の剤の循環半減期よりも大きいので有利である。また、ペルフルオロカーボンは、人工血液代用剤としての使用を含む、広範囲に亘る生物医学分野への適用にこれまで使用されてきた。本発明で使用するために、フルオロカーボンがフルオロカーボン−ハイドロカーボン、ペルフルオロアルキル化エーテル、ポリエーテル又はクラウンエーテルであるようなフルオロカーボンエマルジョンを含む複数のフルオロカーボンエマルジョンを使用してもよい。有用なペルフルオロカーボンエマルジョンは、米国特許第4,927,623号、同第5,077,036号、同第5,114,703号、同第5,171,755号、同第5,304,325号、同第5,350,571号、同第5,393,524号、及び同第5,403,575号に記載されており、ペルフルオロカーボン化合物が、ペルフルオロトリブチルアミン、ペルフルオロデカリン、ペルフルオロオクチルブロマイド、ペルフルオロジクロロオクタン、ペルフルオロデカン、ペルフルオロトリプロピルアミン、ペルフルオロトリメチルシクロヘキサン、又は他のペルフルオロカーボン化合物であるようなペルフルオロカーボンエマルジョンを含む。更に、そのようなペルフルオロカーボン化合物の混合物を、本発明の実施に使用されるエマルジョンに組み込んでもよい。
【００２４】
本発明に有用なペルフルオロカーボンエマルジョンの具体的な実施形態として、ペルフルオロジクロロオクタンエマルジョンを挙げることができるが、これは、その脂質の被膜が、約５０〜約９９．５モルパーセントのレシチン、好ましくは約５５〜約７０モルパーセントのレシチン、０〜５０モルパーセントのコレステロール、好ましくは約２５〜約４５モルパーセントのコレステロール、及び約０．５〜約１０モルパーセントのビオチン化ホスファチジルエタノールアミン、好ましくは約１〜約５モルパーセントのビオチン化ホスファチジルエタノールアミンを含む。ホスファチジルセリンのような他のリン脂質をビオチン化し、ステアリルアミンのような脂肪族アシル基をビオチンと複合化し、又はコレステロール若しくは他の脂溶性化合物をビオチン化して、脂質でカプセル被膜化されるパーティクルのための脂質の被膜に組み込んでもよい。本発明の実施に使用されるビオチン化ペルフルオロカーボンの例の調製については、以下において説明するが、これは既知の手順に従っている。
【００２５】
脂質カプセル被膜化パーティクルがエマルジョンではなくリポソームによって構成される場合、そのようなリポソームは、文献（例えば、Kimelbergら、CRC Crit. Rev. Toxicol.、1978年、6巻、25頁、; Yatvinら、Medical Physics、1982年、9巻、149頁参照）に一般的に記載されているような方法で調製することができる。リポソームは、当業者には既知であり、一般的に、レシチン及びステロール、卵ホスファチジルコリン、卵ホスファチジン酸、コレステロール及びα−トコフェロールを含む脂質材料から構成される。
【００２６】
例えば界面活性剤等のエマルジョン形成剤は、エマルジョンの形成を容易にしかつその安定性を向上するために使用することができる。フルオロケミカル液体のエマルジョンの形成を容易にするために、典型的には、水相界面活性剤が使用されてきた。界面活性剤は、親水性部分と疎水性部分を両方とも含む物質であればどんな物質でもよい。水又は溶媒に添加されると、界面活性剤は、表面張力を低減する。好ましい界面活性剤は、リン脂質とコレステロールである。
【００２７】
何れかの又は種々（複数）の脂質系界面活性剤を脂質単分子膜に組み込んでもよい。当該界面活性剤は、好ましくは天然又は合成のリン脂質であるが、脂肪酸、コレステロール、リゾリピド、スフィンゴミエリン、トコフェロール、糖脂質、ステアリルアミン、カルジオリピン、 プラスマロゲン、エーテル又はエステル結合した脂肪酸を有する脂質、脂質重合体、及び脂質と複合化したポリエチレングリコールでもあってもよい。他の既知の界面活性剤添加物、例えば、ＰＬＵＲＯＮＩＣ Ｆ−６８、ＨＡＭＰＯＳＹＬ Ｌ３０（W. R. Grace Co., Nashua, N.H.）、ドデシル硫酸ナトリウム、Ａｅｒｏｓｏｌ ４１３（American Cyanamid Co., Wayne, N.J.）、Ａｅｒｏｓｏｌ ２００（American Cyanamid Co.）、ＬＩＰＯＰＲＯＴＥＯＬ ＬＣＯ（Rhodia Inc., Mammoth, N.J.）、ＳＴＡＮＤＡＰＯＬ ＳＨ １３５（Henkel Corp., Teaneck, N.J.）、ＦＩＺＵＬ １０−１２７（Finetex Inc., Elmwood Park, N.J.）、及びＣＹＣＬＯＰＯＬ ＳＢＦＡ ３０（Cyclo Chemicals Corp., Miami, Fla.）;以下の商標名で販売されているような両性界面活性剤：Ｄｅｒｉｐｈａｔ（商標） １７０（Henkel Corp.）、ＬＯＮＺＡＩＮＥ ＪＳ（Lonza, Inc.）、ＮＩＲＮＯＬ Ｃ２Ｎ−ＳＦ（Miranol Chemical Co., Inc., Dayton, N.J.）、ＡＭＰＨＯＴＥＲＧＥ Ｗ２（Lonza, Inc.）、及びＡＭＰＨＯＴＥＲＧＥ ２ＷＡＳ（Lonza, Inc.）;以下の商標名で販売されているような非イオン界面活性剤：ＰＬＵＲＯＮＩＣ Ｆ−６８（BASF Wyandotte, Wyandotte, Mich.）、ＰＬＵＲＯＮＩＣ Ｆ−１２７（BASF Wyandotte）、ＢＲＩＪ ３５（ICI Americas; Wilmington, Del.）、ＴＲＩＴＯＮ Ｘ−１００（Rohm and Haas Co., Philadelphia, Pa.）、ＢＲＩＪ ５２（ICI Americas）、ＳＰＡＮ ２０（ICI Americas）、ＧＥＮＥＲＯＬ １２２ ＥＳ（Henkel Corp.）、ＴＲＩＴＯＮ Ｎ−４２（Rohm and Haas Co.,）、Ｔｒｉｔｏｎ（商標） Ｎ−１０１（Rohm and Haas Co.,）、ＴＲＩＴＯＮ Ｘ−４０５（Rohm and tlaas Co.,）、ＴＷＥＥＮ ８０（ICI Americas）、ＴＷＥＥＮ ８５（ICI Americas）、及びＢＲＩＪ ５６（ICI Americas）等を、エマルジョンの安定化向上を促進するために、０．１０〜５．０質量％の濃度で、単独又は組み合わせて使用してもよい。
【００２８】
乳化されるべきフルオロケミカル液体に可溶なフルオロ化界面活性剤も使用することができる。好適なフルオロケミカル界面活性剤は、ペルフルオロヘキサン酸及びペルフルオロオクタン酸のようなフルオロ化アルカン酸、及びアミドアミン誘導体を含む。これら界面活性剤は、一般的に、０．０１〜５．０質量％の濃度、好ましくは０．１〜１．０質量％の濃度で使用される。他の好適なフルオロケミカル界面活性剤は、ペルフルオロ化アルコールリン酸エステル及びそれらの塩、ペルフルオロ化スルホンアミドアルコールリン酸エステル及びそれらの塩、ペルフルオロ化アルキルスルホンアミドアルキレン第４アンモニウム塩、Ｎ，Ｎ−（カルボキシル置換低級アルキル）ペルフルオロ化アルキルスルホンアミド、及びそれらの混合物を含む。ここで用いた用語「ペルフルオロ化」は、界面活性剤が少なくとも１つのペルフルオロ化されたアルキル基を含むということを意味するものとする。
【００２９】
好適なペルフルオロ化アルコールリン酸エステルは、モノ−及びビス（１Ｈ，１Ｈ，２Ｈ，２Ｈ−ペルフルオロアルキル）リン酸塩（エステル）のジエタノールアミン塩の遊離酸を含む。このようなリン酸塩は、商標名ＺＯＮＹＬ ＲＰ（E. I. Dupont de Nemours and Co., Wilmington, Del.）のものが入手可能であるが、既知の方法によって分解されて対応する遊離酸を生成する。好適なペルフルオロ化スルホンアミドアルコールリン酸エステルは、米国特許第3,094,547号に記載されている。好適なペルフルオロ化スルホンアミドアルコールリン酸エステル及びそれらの塩は、ペルフルオロ−ｎ−オクチル−Ｎ−エチルスルホンアミドエチルリン酸エステル、ビス（ペルフルオロ−ｎ−オクチル−Ｎ−エチルスルホンアミドエチル）リン酸エステル；ビス（ペルフルオロ−ｎ−オクチル−Ｎ−エチルスルホンアミドエチル）リン酸、ビス（ペルフルオロデシル−Ｎ−エチルスルホンアミドエチル）リン酸、及びビス（ペルフルオロヘキシル−Ｎ−エチルスルホンアミドエチル）リン酸のアンモニウム塩を含む。好ましい処方物は、ホスファチジルコリン、誘導ホスファチジルエタノールアミン、及びコレステロールを水性界面活性剤として使用する。
【００３０】
脂質カプセル被膜化エマルジョンには、核酸材料がパーティクル表面に付着するのを容易にするカチオン性脂質を界面活性剤（含有）層に処方してもよい。カチオン性脂質は、１，２−ジアシル−３−トリメチルアンモニウムプロパン（ＴＡＰ），１，２−ジアシル−３−ジメチルアンモニウムプロパン（ＤＡＰ），ＤＣ−コレステロール（ＤＣ−Ｃｈｏｌ），ジメチルジオクタデシルアンモニウムブロマイド（ＤＤＡＢ），１，２−ジアシル−ｓｎ−グリセロ−３−エチルホスホコリン ＤＯＴＭＡ，Ｎ−［１−（２，３−ジオレオイロキシ）プロピル］−Ｎ，Ｎ，Ｎ−トリメチルアンモニウムクロライド；ＤＯＴＡＰ，１，２−ジオレオイロキシ−３−（トリメチルアンモニウム）プロパン；及びＤＯＴＢ，１，２−ジオレオイル−３−（４’−トリメチル−アンモニウム）ブタノイル−ｓｎ−グリセロールを含むがこれらに限定されない。一般に、脂質界面活性剤単分子膜中におけるカチオン性脂質と非カチオン性脂質のモル比は、例えば、１：１０００〜２：１であり、好ましくは２：１〜１：１０、より好ましくは１：１〜１：２．５、最も好ましくは１：１である（カチオン性脂質のモル数と非カチオン性脂質、例えばＤＰＰＣ、のモル数の比）。さまざまな脂質が、エマルジョン界面活性剤の非カチオン性脂質成分を構成することができる。上述の化合物に加え、とりわけジパルミトイルホスファチジルコリン、ジパルミトイルホスファチジル−エタノールアミン又はジオレオイルホスファチジルエタノールアミンがこれに該当する。上述したカチオン性脂質の代わりに、ポリリジン又はポリアルギニンのようなカチオン性ポリマーを有する脂質も脂質界面活性剤に含まれうるが、これらは、例えば遺伝子材料又はそのアナログのような負に帯電した薬剤をエマルジョンパーティクルの外側に結合させてもよい。
【００３１】
本発明の音響造影（画像化）物質は、少なくとも１つのペルフルオロカーボンから構成されることが好ましいが、ターゲットに結合すると温度依存性の反射率を示す。ペルフルオロカーボンは、温度の上昇に従って超音波の速度を直線的に減少させるということ、及び１０℃〜５０℃の温度範囲に亘って密度が減少するということが報告されている（Narayanaら、1986年、上記）。それゆえ、ナノパーティクルエマルジョンの温度依存性又は例えば好ましいペルフルオロカーボン成分のようなナノパーティクルエマルジョンの構成成分の温度依存性は、エマルジョン又はその構成成分の超音波の速度を決定することによって測定することができる。これについては以下の実施例においてより完全に説明している。この測定は、所与のペルフルオロカーボン成分に関する反射率の変化の大きさの予測に利用することができると考えられている。
【００３２】
超音波ターゲットは、in vivo又はin vitroのターゲットであってもよく、好ましくは生物学的材料であるが、該ターゲットは生物学的材料である必要はない。ターゲットは、音響造影物質が結合する表面、又は音響造影物質が侵入しかつターゲットの表面下の部分に結合する三次元構造体から構成されてもよい。
【００３３】
音響造影物質を超音波ターゲットに固定するために、音響造影物質にリガンドを組み込むことが好ましい。リガンドは、能動的ターゲティングを可能にするために、目的のターゲットに特異的に構成されてもよい。ここに、能動的ターゲティングとは、局在化による細胞、組織又は器官への剤のリガンド指向的部位特異的蓄積、及び細胞の表面膜又は細胞外若しくは細胞内マトリクスに現出した分子エピトープ、即ちレセプタ、脂質、ペプチド、細胞接着分子、多糖、生体高分子等への結合をいう。抗体、抗体のフラグメント、小さなオリゴペプチドのようなポリペプチド、立体構造を有する大きなポリペプチド又はタンパク質、ペプチド様物質、多糖、アプタマー、脂質、核酸、レクチン、又はこれらの組み合わせを含む様々なリガンドを使用することができる。リガンドは、細胞のエピトープ又はレセプタに特異的に結合する。
【００３４】
ここに、用語「リガンド」は、エマルジョンパーティクル自体とは異なる生物学的ターゲットの他の分子に特異的に結合する小さなターゲティング分子をいうものとする。反応には、錯体の金属原子と配位共有結合を形成するため電子対を供与又は受容する分子を必要とはしないが排除もしない。従って、リガンドは、直接的結合に対しては共有結合的に又は間接的結合に対しては非共有結合的に、音響パーティクル表面（エマルジョン）の表面に付着することができる。
【００３５】
アビジン−ビオチン相互作用は、既に多くの生物学的及び分析システムに取り入れられかつin vivoへの適用に選択されている極めて有用な非共有結合的ターゲティングシステムである。アビジンは、ビオチンに対し生理的条件下で迅速かつ安定な結合を可能にする高い親和性（１０−１５Ｍ）を有する。この手法を利用するターゲティングシステムは、処方物に応じて、２ステップ又は３ステップで実行される。典型的には、まず、モノクローナル抗体のようなビオチン化リガンドを投与して特異的分子エピトープを「プレターゲット」する。次に、アビジンを投与して「プレターゲット」したリガンドのビオチン部分に結合させる。最後に、ビオチン化剤を添加して、アビジンに残存している空のビオチン結合部位に結合させることによって、リガンド−アビジン−エマルジョンの「サンドイッチ」を形成する。アビジン−ビオチン法は、表面抗体の存在を介する細網内皮系によるターゲット剤の加速された早期の除去（クリアランス）を回避することができる。更に、アビジンは、独立した４つのビオチン結合部位を有するが、信号の増幅を提供し、検出の感度を改善する。
【００３６】
ここに、用語「ビオチン剤」又はビオチン剤へとの結合に関する「ビオチン化」は、ビオチン、ビオサイチン、及び例えばビオチンアミドカプロン酸Ｎ−ヒドロキシスクシンイミドエステル、ビオチン４−アミドベンゼン酸、ビオチンアミドカプロイルヒドラジド及び他のビオチン誘導体及び複合体のような他のビオチン誘導体及びアナログを含むのもとする。そのほか誘導体としては、ビオチン−デキストラン、ビオチン−ジスルフィド−Ｎ−ヒドロキシスクシンイミドエステル、ビオチン−６アミドキノリン、ビオチンヒドラジド、ｄ−ビオチン−Ｎ−ヒドロキシスクシンイミドエステル、ビオチンマレイミド、ｄ−ビオチンｐ−ニトロフェニルエステル、ビオチン化ヌクレオチド、及びＮ，ε−ビオチニル−ｌ−リジンのようなビオチン化アミノ酸も含む。用語「アビジン剤」又はアビジン剤との結合に関する「アビジン化」は、アビジン、ストレプトアビジン、ストレプトアビジン又はアビジン複合体のようなアビジンアナログ、アビジン又はストレプトアビジンの高精製分画種、及び非アミノ酸又は部分アミノ酸変異体、組換え又は化学合成アビジンを含むものとする。
【００３７】
ターゲティングリガンドを、パーティクル表面の性質に応じ種々の方法により音響パーティクルの表面に化学的に付着させてもよい。結合は、使用するリガンドに応じてエマルジョンパーティクルが生成される前又は後に実行してもよい。リガンドのタンパク質剤への直接的化学結合では、その表面に本来的に存在する多数のアミノ基（例えばリジン）をよく利用する。或いは、ピリジルジチオプロピオネート、マレイミド又はアルデヒドのような機能的化学活性基を、パーティクルを生成した後、リガンドの結合のための化学的「フック」としてその表面に組み込むことも可能である。他の一般的な後処理法では、リガンドを付加する前に、カルボジイミドによって、表面カルボン酸塩を活性化する。選択される共有結合的連結ストラテジは、主として、リガンドの化学的性質によって決定される。モノクローナル抗体及び他の大きなタンパク質は、厳しい処理条件下では変性する場合もある；他方、炭水化物、短ペプチド、アプタマー、薬剤又はペプチド様物質の生理活性は、多くの場合保存可能である。高レベルのリガンド結合の完全性を確実にしかつターゲットパーティクルの結合活性を最大化するために、例えばポリエチレングリコール又は単純なカプロン酸エステルブリッジのようなフレキシブルなポリマースペーサアームを、活性化された表面機能性基とターゲティングリガンドの間に挿入することができる。このような付加部分は、１０ｎｍ以上とすることができ、パーティクル表面の相互作用によるリガンド結合の妨害を最小にすることができる。
【００３８】
モノクローナル抗体を、病態的分子エピトープを含む広範囲の分子エピトープの何れにも（何れかに）向けられる部位ターゲティングリガンドとして使用してもよい。既に、免疫グロブリン−γ（ＩｇＧ）クラスモノクローナル抗体を、リポソーム、エマルジョン及び他の微小気泡パーティクルに結合させて、能動的（アクティブ）部位特異的ターゲティングを提供している。これらのタンパク質は、Ｈ鎖及びＬ鎖の同一の対からなる対称的な糖タンパク質（分子量約150,000ダルトン）である。２つのアームの各々の端部の高頻度可変領域は、同一の抗原結合ドメインを提供する。可変長分枝炭水化物ドメインは、補体活性化領域に結合し、ヒンジ領域は、還元されてより小さいフラグメントを生成できるとりわけ接近容易な鎖間ジスルフィド結合を有する。
【００３９】
二価のＦ（ａｂ’）２及び一価のＦ（ａｂ）フラグメントは、リガンドとして使用することができ、これらは、それぞれ、ペプシン又はパパイン消化による抗体全体の選択的開裂に由来する。Ｆｃ領域の除去により、分子の免疫原性は大きく減少し、結合糖鎖を介する非特異的肝臓取り込みは大きく減少し、かつ補体活性化及び結果としての抗体依存性細胞毒性は大きく低下する。補体固定及び関連する細胞性細胞毒性は、ターゲット部位を保存しなければならない場合は有害でありえ、又はホストキラー細胞の補充とターゲット細胞の破壊が所望の場合（例えば坑腫瘍剤）は有利でありうる。
【００４０】
モノクローナル抗体は、大抵、マウスに由来しており、程度はそれぞれ異なるが他の種に対して本来的に免疫原性である。遺伝子工学技術によるマウス抗体のヒト化により、生体適合性が改善されかつ循環半減期が長いキメラリガンドが開発された。ターゲット分子エピトープに対する組換え抗体の結合親和性は、結合イディオタイプの選択的部位特異的突然変異誘発によって改善できることがある。
【００４１】
抗体産生動物を使用することなく広範囲の異なる抗原に対する組換えヒトモノクローナル抗体フラグメントを生成するために、ファージディスプレイ技術を使用してもよい。一般に、クローニングにより、ヒトＢリンパ球の全メッセンジャーＲＮＡ（ｍＲＮＡ）から酵素「逆転写酵素」によって演繹・合成される相補ＤＮＡ（ｃＤＮＡ）鎖の大きな遺伝子ライブラリが作られる。免疫グロブリンｃＤＮＡ鎖は、ＰＣＲ（ポリメラーゼ連鎖反応）によって増幅され、所与の抗原に特異的なＬ鎖及びＨ鎖が、ファージミドベクターに組み込まれる。このファージミドベクターを適切なバクテリアに感染させることにより、ｓｃＦｖ免疫グロブリン分子がバクテリオファージの表面に発現する。目的の抗原（例えば、タンパク質、ペプチド、核酸、及び糖）に対し免疫吸着／ファージ増殖サイクルを繰り返すことにより、特定の免疫グロブリンを発現するバクテリオファージが選択される。ターゲット抗原に厳格に特異的なバクテリオファージを適切なベクター（例えば、大腸菌、酵母、細胞）に導入し、発酵によって増殖して、天然の抗体に極めて類似する構造を有するヒト抗体フラグメントを大量に産生する。ファージディスプレイ技術により、ターゲティングと治療学的応用のための特有のリガンドの生産が可能となった。
【００４２】
ポリペプチドは、抗体のように、標的化された造影剤のためのベクター分子として使用するため大きな特異性とエピトープ親和性を有していてもよい。これらは、（例えば血小板ＧIIｂIIIａレセプターのＲＧＤエピトープのような）特有のレセプタ配列に対し特異的な、例えば５〜１０個のアミノ酸残基を有する小さいオリゴペプチドであってもよく、又はコレシストキニンのような、より大きい生理活性ホルモンであってもよい。より小さいペプチドは、ヒト化されていないマウス抗体よりも固有の免疫原性は小さいかもしれない。細胞接着分子、サイトカイン、セレクチン、カドヘドリン、Ｉｇスーパーファミリー、インテグリン等のペプチド又はペプチド（非ペプチド）アナログをターゲット治療剤送達のために使用してもよい。
【００４３】
肝細胞に局在するアシアロ糖タンパク質レセプターに対する親和性は大きいため、肝特異的に適用するためにアシアロ糖タンパク質が使用された。第一期及び第二期の肝腫瘍及び肝炎のような良性のび漫性肝臓疾患を検出するために、アシアロ糖タンパク質指向剤（主として酸化鉄と結合した磁気共鳴剤）が使用された。アシアロ糖タンパク質レセプターは、肝細胞に極めて大量に存在し（細胞当り約500,000）、急速に内部移行し、引き続き細胞表面に現れ再利用される。剤を肝ターゲットに局在化させるために、アラビノガラクタンのような多糖を使用してもよい。アラビノガラクタンは、アシアロ糖タンパク質肝レセプターに対する高親和性を呈する多末端アラビノース基を有する。
【００４４】
アプタマーは、高親和性、高特異性ＲＮＡ又はＤＮＡベースリガンドであり、in vitroでの選択実験（SELEX: systematic evolution of ligands by exponential enrichment）によって生産される。アプタマーは、２０〜３０ヌクレオチドのランダム配列から作成され、分子抗原又は細胞への吸収（吸着）によって選択的にスクリーニングされ、特異的高親和性結合リガンドを生成するために濃縮される。In vivoでの安定性及び有用性を向上するために、アプタマーは、一般的に、ヌクレアーゼ消化を抑制しかつ薬物、ラベル又はパーティクルとの結合が可能となるよう化学的に修飾される。他のより単純な化学的ブリッジが、リガンド相互作用に非特異的に関与する核酸の代わりに使用されることもよくある。溶液中では、アプタマーは、立体構造が解除されているが、特異的認識を供するターゲットエピトープに絡んだり包んだりすることはできる。エピトープの周囲の核酸の特有の折り畳みにより、水素結合、静電相互作用、スタッキング、及び形状相補性を介して、差別的分子内接触が可能となる。タンパク質ベースのリガンドと比較すると、アプタマーは、安定で、熱殺菌に対しより伝導性が大きく、免疫原性は小さい。現在、アプタマーは、血管新生、活性化血小板、及び固体腫瘍を含む多数の臨床関連病態をターゲットするために使用されており、その使用は益々増えている。治療エマルジョンパーティクルのためのターゲティングリガンドとしてのアプタマーの臨床上の有効性は、核酸のリン酸基により減ぜられる負の表面電荷のクリアランス速度への影響に依存させてもよい。脂質ベースのパーティクルに関する以前の研究は、負のゼータ電位により、リポソームの循環半減期は著しく低下し、他方中性又は正のパーティクルは同様のより長い全身残存性を有するということを示唆している。
【００４５】
あるin vitroでの適用に関しMillbrathら（米国特許第5,401,634号）に記載されているような、特異的結合種をフルオロケミカル小滴に結合するための「プライマー材料」と称されているものを使用することも可能である。ここに、「プライマー材料」は、パーティクルと、ターゲティングリガンド又はターゲティングリガンドのサブユニットのようなターゲティングリガンドの成分との間で共有結合を形成するために化学的に利用可能なエマルジョン脂質界面活性剤層に組み込まれる何らかの成分又は誘導成分をいうものとする。
【００４６】
従って、特異的結合種（例えばターゲティングリガンド）を、油／水界面に直接吸着し又はプライマー材料を使用することによりカプセル被覆を行なう脂質単分子膜に固定してもよい。プライマー材料は、特異的結合又はターゲティング種と化学的に結合又は吸着するためにパーティクルに組み込まれる界面活性剤適合性化合物であれば任意のものでよい。水性連続相と、連続及び不連続相の界面でプライマー材料と吸着又は結合する生理活性リガンドとによって、エマルジョンを形成すると好ましい結果が得られる。カップリング剤及び高帯電ポリマーと特異的に反応することができるアミン、カルボキシル、メルカプト又はその他の機能性基を有する自然発生又は合成ポリマーをカップリングプロセスで使用してもよい。特異的結合種（例えば抗体）を、直接的吸着又は化学的結合によって、フルオロケミカルエマルジョンパーティクルの表面に固定してもよい。直接的吸着によって固定可能な特異的結合種の例として、小ペプチド、ペプチド様物質、又は多糖ベースの剤を挙げることができる。そのようなエマルジョンを形成するために、エマルジョンを形成する前に特異的結合種を水相に懸濁又は溶解してもよい。また、エマルジョンを形成した後特異的結合種を添加して、ｐＨ７．０のバッファ（典型的にはリン酸緩衝食塩水）中、室温（２５℃）で１．２〜１８時間穏やかに振盪することによりインキュベートしてもよい。
【００４７】
特異的結合種をプライマー材料に結合すべき場合、従来のカップリング技術を利用してもよい。特異的結合種を、当業者に既知の方法により、カップリング剤を用いて、プライマー材料と共有結合的に結合してもよい。プライマー材料は、ホスファチジルエタノールアミン（ＰＥ）， Ｎ−カプロイルアミン−ＰＥ, ｎ−ドデカニルアミン, ホスファチジルチオエタノール,Ｎ−１，２−ジアシル−ｓｎ−グリセロ−３−ホスホエタノールアミン−Ｎ−［４−（ｐ−マレイミドフェニル）ブチルアミド］, １，２−ジアシル−ｓｎ−グリセロ−３−ホスホエタノールアミン−Ｎ−［４−（ｐ−マレイミドメチル）シクロヘキサン−カルボキシラート］, １，２−ジアシル−ｓｎ−グリセロ−３−ホスホエタノールアミン−Ｎ−［３−（２−ピリジルジチオ）プロピオネート］, １，２−ジアシル−ｓｎ−グリセロ−３−ホスホエタノールアミン−Ｎ［ＰＤＰ (ポリエチレングリコール) 2000］, Ｎ−スクシニル−ＰＥ, Ｎ−グルタリル−ＰＥ, Ｎ−ドデカニル−ＰＥ, Ｎ−ビオチニル−ＰＥ, 又は Ｎ−カプロイル−ＰＥを含んでもよい。付加的なカップリング剤は、１−エチル−３−（３−Ｎ，Ｎジメチルアミノプロピル）カルボジイミドヒドロクロライド又は １−シクロヘキシル−３−（２−モルフォリノエチル）カルボジイミドメチル−ｐ−トルエンスルホネートのようなカルボジイミドを使用する。他の好適なカップリング剤には、アクロレイン、メタクロレインのようなエチレン系不飽和化合物か２−ブテナールの何れかを有するか、又はグルタルアルデヒド、プロパンジアール又はブタンジアールのような複数のアルデヒド基を有するアルデヒドカップリング剤が含まれる。カップリング剤には、ほかにも、２−イミノチオランヒドロクロライド, ジスクシンイミジルサブストレート, ジスクシンイミジルタートラート, ビス［２−（スクシンイミドオキシカルボニロキシ）エチル］スルホン, ジスクシンイミジルプロピオナート, エチレングリコールビス（スクシンイミジルサクシネート）のような二機能性Ｎ−ヒドロキシスクシンイミドエステル; Ｎ−（５−アジド−２−ニトロベンゾイロキシ）スクシンイミド, ｐ−アジドフェニルブロマイド, ｐ−アジドフェニルグリオキサル, ４−フルオロ−３−ニトロフェニルアジド, Ｎ−ヒドロキシスクシンイミジル−４−アジドベンゾアート, ｍ−マレイミドベンゾイル Ｎ−ヒドロキシスクシンイミドエステル, メチル−４−アジドフェニルグリオキサル, ４−フルオロ−３−ニトロフェニルアジド, Ｎ−ヒドロキシスクシンイミジル−４−アジドベンゾアートヒドロクロライド, ｐ−ニトロフェニル２−ジアゾ−３，３，３−トリフルオロプロピオネート, Ｎ−スクシンイミジル−６−（４'−アジド−２'−ニトロフェニルアミノ）ヘキサノアート, スクシンイミジル４−（Ｎ−マレイミドメチル）シクロヘキサン−１−カルボキシラート, スクシンイミジル４−（ｐ−マレイミドフェニル）ブチラート, Ｎ−スクシンイミジル（４−アジドフェニルジチオ）プロピオナート, Ｎ−スクシンイミジル３−（２−ピリジルジチオ）プロピオナート, Ｎ−（４−アジドフェニルチオ）フタルアミドのようなヘテロ二機能性試薬; １，５−ジフルオロ−２，４−ジニトロベンゼン, ４，４'−ジフルオロ−��，３'−ジニトロジフェニルスルホン, ４，４'−ジイソチオシアノ−２，２'−ジスルホン酸スチルベン, ｐ−フェニレンジイソチオシアネート, カルボニルビス（Ｌ−メチオニンｐ−ニトロフェニルエステル）, ４，４'−ジチオビスフェニルアジド, エリトリトールビスカーボネートのようなホモ二機能性試薬、及びジメチルアジピミデートヒドロクロライド, ジメチルスベリミデート, ジメチル３，３'−ジチオビスプロピオンイミデートヒドロクロライドのような二機能性イミドエステル等が含まれる。特異的結合種とプライマー材料との共有結合は、上述の試薬を使用し、例えば中性のｐＨ、２５℃未満の温度の水溶液中で１時間からオーバーナイトで行なう、伝統的な既知の反応によって形成することができる。
【００４８】
本発明のエマルジョンは、種々の方法によって調製することができる。その一例として、フルオロケミカル液と、適切なプライマー材料及び／又は特異的結合種を含む水溶液との混合物を超音波処理する方法がある。一般に、これらの混合物は、界面活性剤を含む。乳化された混合物を冷却し、界面活性剤の濃度を最小化し、生理食塩水バッファで緩衝することにより、典型的には、特異的結合能の保持も、プライマー材料のカップリング能も最大化される。これらの方法により、吸収（吸着）されたプライマー材料又は特異的結合種の単位当りの活性が大きい良好なエマルジョンが得られる。
【００４９】
高濃度のプライマー材料又は特異的結合種が脂質エマルジョンに被膜形成したら、混合物を超音波処理中加熱し、該混合物が、比較的低いイオン強度と中程度から低いｐＨを持つようにする。イオン強度が低く過ぎたり、ｐＨが低く過ぎたり又は加熱し過ぎたりすると、相当分解したり、特異的結合種の有用な結合能や「プライマー材料」のカップリング能の全てが喪失したりすることもある。乳化の条件を注意深く制御・変化することにより、プライマー材料又は特異的結合種の特性を最適化しつつ、高濃度の被膜を形成することができる。
【００５０】
米国特許第4,310,505号に記載されているようにin vivoでのターゲティングのために炭水化物含有脂質を使用してもよい。この文献の記載内容は全て引照を持ってここに記載されているものとする。
【００５１】
エマルジョンを生成する他の一例として、水溶液、プライマー材料又は特異的結合種、フルオロカーボン液及び（もしあれば）界面活性剤を含む混合物の高圧流体をコントロールし、それらを互いに衝突させ、パーティクルのサイズ及び分布が制限されたエマルジョンを生成する方法がある。好ましいエマルジョンを作るために、微小流体化装置 (Microfluidics, Newton, Mass.) を使用することができる。この装置は、超音波処理又は他の伝統的な方法によってエマルジョンを後処理するためにも有用である。エマルジョン小滴の流動体を微小流体化装置に供給することにより、サイズが小さく、限定的なパーティクルサイズ分布を有する処方物が得られる。
【００５２】
乳化剤及び／又は可溶化剤をエマルジョンと共に使用してもよい。そのような剤には、アラビアゴム, コレステロール, ジエタノールアミン, グリセリルモノステアレート, ラノリンアルコール, レシチン, モノ−及びジグリセリド, モノエタノールアミン, オレイン酸, オレイルアルコール, ポリオキサマー（poloxamer）, ピーナッツオイル, パルミチン酸, ポリオキシエチレン５０ステアレート, ポリオキシル３５ひまし油, ポリオキシル１０オレイルエーテル, ポリオキシル２０セトステアリルエーテル, ポリオキシル４０ステアレート, ポリソルベート２０, ポリソルベート４０, ポリソルベート６０, ポリソルベート８０, プロピレングリコールジアセテート, プロピレングリコールモノステアレート, ラウリル硫酸ナトリウム, ステアリン酸ナトリウム, ソルビタンモノラウレート, ソルビタンモノオレアート, ソルビタンモノパルミテート, ソルビタンモノステアレート, ステアリン酸, トロラミン（trolamine）、及び乳化ろうが含まれるがこれらに限定されない。植物又は動物由来の脂質に見出される飽和又は不飽和炭化水素脂肪酸の代わりに脂質の成分としてフルオロ脂肪酸を有する脂質であればどれでも使用することができる。エマルジョンと共に使用可能な懸濁剤及び／又は増粘剤には、アラビアゴム, 寒天, アルギン酸, モノステアリン酸アルミニウム, ベントナイト, マグマ, カルボマー９３４Ｐ, カルボキシメチルセルロース, カルシウム及びナトリウム及びナトリウム１２, カラゲーニン, セルロース, デキストリン, ゼラチン, グアールガム, ヒドロキシエチルセルロース, ヒドロキシプロピルメチルセルロース, 珪酸マグネシウムアルミニウム, メチルセルロース, ペクチン, ポリエチレンオキサイド, ポリビニルアルコール, ポビドン, プロピレングリコールアルギナート, 二酸化珪素, アルギン酸ナトリウム, トラガカントゴム、及びキサンガムが含まれるがこれらに限定されない。
【００５３】
有用なエマルジョンは、例えば直径約０．０１μｍ〜１０μｍ、好ましくは約０．１〜約０．５μｍの範囲の、広い範囲の公称パーティクル径を有しうる。乳化方法及び化学成分を変えることにより、エマルジョンパーティクルの大きさを制御・変化することができる。パーティクルの大きさは小さいものが有利であるが、それは、小さいパーティクルはより長時間循環し、かつより大きいパーティクルよりも安定性が大きい傾向があるからである。
【００５４】
標的化治療エマルジョンは、生理活性剤（例えば、薬物、プロドラッグ、遺伝子材料、放射性同位元素、又はそれらの組み合わせ）をその未変化（ネイティブ）型に組み込んだり、リガンド標的化パーティクルへの組み込み又は吸着を向上するための疎水性又は荷電成分によって修飾してもよい。生理活性剤は、プロドラッグであってもよい。プロドラッグには、Sinkylaら、J. Pharm. Sci.、1975年、64巻、181-210頁、1997年5月6日に出願された米国特許出願第08/851,780号、及び1997年7月2日に出願された米国特許出願第08/887,215号に記載されたものも含まれる。これらの文献の記載内容はすべて引照を以って繰り込みここに記載されているものとみなす。
【００５５】
そのような治療剤には、白金化合物 (例えば スピロプラチン, シスプラチン, 及びカルボプラチン), メトトレキセート, フルオロウラシル, アドリアマイシン, マイトマイシン, アンサミトシン, ブレオマイシン, シトシンアラビノシド, アラビノシルアデニン, メルカプトポリリジン, ビンクリスチン, ブスルファン, クロラムブチル, メルファラン (例えば ＰＡＭ, Ｌ−ＰＡＭ又はフェニルアラニンマスタード), メルカプトプリン, ミトタン, プロカルバジンヒドロクロライドダクチノマイシン  (アクチノマイシンＤ), ダウノルビシンヒドロクロライド, ドキソルビシンヒドロクロライド, タキソール, プリカマイシン (ミトラマイシン), アミノグルテチミド, エストラムスチンリン酸ナトリウム, フルタマイド（flutamide）, 酢酸ロイプロライド（leuprolide）, 酢酸メゲストロール, クエン酸タモキシフェン, テストラクトン, トリロスタン, アムサクリン （ｍ−ＡＭＳＡ）, アスパラギナーゼ (Ｌ−アスパラギナーゼ) エルビナ（Erwina）アスパラギナーゼ, インターフェロン α−２ａ, インターフェロン α−２ｂ, テニポサイド（teniposide） （ＶＭ−２６）, 硫酸ビンブラスチン （ＶＬＢ）, 硫酸ビンクリスチン, ブレオマイシン, 硫酸ブレオマイシン, メトトレキセート, アドリアマイシン, アラビノシル（arabinosyl）, ヒドロキシ尿素, プロカルバジン, ダカーバジン, エトポシド及び他のビンカアルカロイドのような有糸分裂阻害剤を含む抗悪性腫瘍薬; 放射性ヨウ素, サマリウム, ストロンチウムコバルト, イットリウム等（但しこれらに限定されない）のような放射性医薬品; 成長ホルモン, ソマトスタチン, プロラクチン, 甲状腺, ステロイド, アンドロゲン, プロゲスチン, エストロゲン及び抗エストロゲンのような（但しこれらに限定されない）ホルモンを含むタンパク質及び非タンパク質性自然生産物又はそれらのアナログ／ミメティクス; オーラノフィン, メトトレキサート, アザチオプリン, サルファザラジン（sulfazalazine）, レフルノマイド（leflunomide）, ハイドロクロロキン, 及び エタネルセプト（etanercept）のような抗リウマチ薬を含むがこれらに限定されない鎮痛薬; バクロフェン, ダントロレン, カリソプロドール, ジアゼパム, メタキサロン（metaxalone）, シクロベンザプリン, クロルゾキサゾン, チザニジンのような筋弛緩剤; コデイン, フェンタニール, ヒドロモルホン, レアボルファノール（lleavorphanol）, メペリジン, メタドン, モルフィン, オキシコドン, オキシモルホン, プロポキシフェンのような麻薬性作用物質; ブプレノルフィン, ブトルファノール, デゾシン（dezocine）, ナルブフィン（nalbuphine）, ペンタゾシンのような麻薬性作用物質−拮抗物質; ＡＳＡ, アセトミノフェン（acetominophen）, トラマドール又はそれらの組み合わせを含むナルメフェン（nalmefene）及び ナロキソンその他の鎮痛薬のような麻薬性拮抗物質; セレコキシブ（celecoxib）, ジクロフェナク, ジフルニサル, エトドラク（etodolac）, フェノプロフェン, フルルビプロフェン, イブプロフェン, インドメタシン, ケトプロフェン, ケトロラク（ketorolac）, ナプロキセン, オキサプロキセン（oxaproxen）, ロフェコキシブ（rofecoxib）, サリサレート（salisalate）, スルジンダク（suldindac）, トルメチンを含むがこれらに限定されない非ステロイド系抗炎症剤; エトミデート, フェンタニル, ケタ��ン, メトヘキシタル, プロポフォル（propofol）, スフェンタニル, チオペンタール等のような麻酔剤及び鎮痛剤; パンクロニウム, アトラクリウム, キサトラクリウム（cisatracurium）, ロクロニウム（rocuronium）, スクシニルコリン, ベルクロニウム（vercuronium）のような（但しこれらに限定されない）神経筋遮断剤; アンホテリシンＢ, クロトリマゾール, フルコナゾール, フルシトシン, グリセオフルビン, イトラコナゾール, ケトコナゾール, ニスタチン及びテルビナフィンを含む抗真菌剤、アミノグリコシドを含む抗菌剤; 駆虫剤; クロロキン, ドキシサイクリン, メフロキン（mefloquine）, プリマキン, キニーネのような抗マラリア剤; ダプソン, エタンブトール, エチオナミド, イソニアジド, ピラチナミド, リファブチン（rifabutin）, リファンピン, リファペンチン（rifapentine）を含む抗放線菌剤; アルベンダゾール, アトバコン（atovaquone）, イオドキノール（iodoquinol）, イベルメクチン,メベンダゾル, メトロニダゾール, ペンタミジン, プラジカンテル, ピランテル, ピリメタミン, チアベンダゾールを含む抗寄生虫剤; アバカビル（abacavir）, ジダノシン, ラミブジン, スタブジン（stavudine）, ザルシタビン, 及びジドブジン 並びにインジナビル及び関連化合物のようなプロテアーゼ阻害剤, シドフォビル（cidofovir）, フォスカーネット及びガンシクロビルを含むがこれらに限定されない抗−ＣＭＶ剤を含む抗ウイルス剤; アマタジン（amatadine）, リマンタジン（rimantadine）, ザナミビル（zanamivir）を含む抗ヘルペス剤; インターフェロン, リバビリン, レベトロン（rebetron）; カルバペネン（carbapenems）, セファロスポリン, フルオロキノン（fluoroquinones）, マクロライド, ペニシリン, スルホンアミド, テトラサイクリン, 並びに、アズトレオナム, クロラムフェニエオール（chloramphenieol）, ホスホマイシン, フラゾリドン, ナリジクス酸, ニトロフラントイン, バンコマイシン等を含むその他の抗生物質; 硝酸塩, 利尿剤, ベータ遮断薬, カルシウムチャンネル遮断薬, アンギオテンシン転換酵素抑制薬, アンギオテンシンレセプタ拮抗剤, 抗アドレナリン剤, 抗律動不整剤, 抗高脂血症剤, 血小板凝集阻害化合物, 昇圧剤, 血栓溶解剤, 座瘡調製剤, 乾癬剤を含む抗高血圧剤; コルチコステロイド; アンドロゲン, アナボリックステロイド, ビスホスホン酸塩; スルホノ尿素（sulfonoureas）及びその他の抗糖尿病剤; 通風関連薬; 抗ヒスタミン剤, 鎮咳剤, 鬱血除去剤及び去痰剤; 制酸剤, ５−ＨＴレセプタ拮抗剤, Ｈ２拮抗剤, ビスマス化合物, プロトンポンプ阻害剤, 下剤, オクトレオチド及びそのアナログ／ミメティクス; 抗凝血剤を含む抗潰瘍剤; 免疫用抗原, イムノグロビン（immunoglobins）, 免疫抑制剤; 抗痙攣剤, ５−ＨＴレセプタ作用物質, 他の偏頭痛治療剤; 抗コリン作用剤及びドーパミン作用剤を含む抗パーキンソン症候群剤; エストロゲン, ＧｎＲＨ作用物質, プロゲスチン, エストロゲンレセプタモジュレータ, 子宮収縮抑制剤, 子宮収縮剤（uterotnics）, ヨウ素産物のような甲状腺剤、及び抗甲状腺剤; 非経口の鉄, ヘミン, ヘマトポルフィリン及びそれらの誘導体のような血液産物、が含まれるがこれらに限定されない。
【００５６】
遺伝子材料には、例えば、核酸, 組換えＲＮＡ及びＤＮＡ、及びアンチセンスＲＮＡ及びＤＮＡを含む、天然型又は合成型のＲＮＡ及びＤＮＡ; ハンマーヘッドＲＮＡ, リボザイム, マンマーヘッドリボザイム, 抗原核酸（一本鎖及び二本鎖ＲＮＡ及びＤＮＡ及びそれらのアナログ）, リボオリゴヌクレオチド, アンチセンスリボオリゴヌクレオチド, デオキシリボオリゴヌクレオチド, 及びアンチセンスデオキシリボオリゴヌクレオチドが含まれる。使用可能な他のタイプの遺伝子材料には、例えば、プラスミド, ファージミド, コスミド, 酵母人工染色体, 及び 欠陥又は「ヘルパー」ウイルスのような発現ベクターにより運ばれる遺伝子, ホスホロチオネート及びホスホロジチオネートオリゴデオキシヌクレオチドのような抗原核酸（一本鎖及び二本鎖ＲＮＡ及びＤＮＡ及びそれらのアナログ）が含まれる。更に、遺伝子材料は、例えば、タンパク質又は他のポリマーと組み合わせてもよい。
【００５７】
上述のとおり、エマルジョンナノパーティクルは、天然状態又は化学的に処理された（錯体を形成した）状態のガドリニウム, マグネシウム, 鉄, マンガンを含むがこれらに限定されない常磁性又は超常磁性成分をパーティクルに取り入れてもよい。同様に、天然状態又は化学的に処理された（錯体を形成した）状態のポジトロン放射体, ガンマ線放射体, ベータ線放射体, アルファ線放射体を含む放射性核種がパーティクル上又はパーティクル内に含まれていてもよい。これらの成分を加えることにより、温度増強超音波画像化法と組み合わせて、磁気共鳴映像法、陽電子放射断層撮影法及び核医学映像法のような他の臨床的画像化法を付加的に使用することが可能となる。更に、処方物内又は処方物上に取り込んだ金属イオンを、局所的高熱を増加ないし実現する「種」として利用することも可能である。
【００５８】
更に、光学的映像法は、これは、紫外線領域から赤外線領域の電磁エネルギーによって患者の組織又は部位を照射することにより生成される患者の当該組織又は部位の可視的表示と、当該照射の結果として生じる反射、散乱、吸収及び／又は蛍光エネルギーの何れかの分析に関するものであるが、温度依存性ターゲットエマルジョンの増強された音響反射率と組み合わせてもよい。例えば、光学的映像法には、可視光写真及びその変形、紫外線映像法、赤外線映像法、蛍光測定法、ホログラフィ、可視光顕微鏡検査、蛍光顕微鏡検査、分光測定法、分光法、蛍光偏光法等が含まれるがこれらに限定されない。
【００５９】
光活性剤は、診断又は治療に適用可能な、光に対し活性があるか又は光に対し反応を示す化合物又は材料であるが、これには、例えば、 発色団（例えば所定の波長の光を吸収する材料）, フルオロフォア (例えば所定の波長の光を放射する材料), 光増感剤 (例えばin vitro及び／又はin vivoにおいて組織壊死及び／又は細胞死を可能にする材料), 蛍光材料, リン光材料等が含まれる。 「光」は、紫外線波長領域、可視光波長領域及び／又は赤外線波長領域を含む全ての光源に関する。本発明で使用可能な好適な光活性剤としては、第三者によって開示されたもの（Unger et al 6,123,923）があり、これについては引照を以って繰り込みここに記載されたものとするが、これには、例えば、 フルオレセイン, インドシアニングリーン, ローダミン, トリフェニルメチン（triphenylmethines）, ポリメチン（polymethines）, シアニン, フラーレン, オキサテルラゾール（oxatellurazoles）, ベルジン（verdins）, ロジン, ペルフィセン（perphycenes）, サプフィリン（sapphyrins）, ルビリン（rubyrins）, コレステリル４，４−ジフルオロ−５，７−ジメチル−４−ボラ（bora）−３ａ，４ａ−ジアザ−ｓ−インダセン（indacene）−３−ドデカノエート（dodecanoate）, コレステリル１２−（Ｎ−メチル−Ｎ−（７−ニトロベンズ−２−オキサ−１，３−ジアゾール−４−イル）アミノ）ドデカネート, コレステリルシス−パリナレート（parinarate）, コレステリル３−（（６−フェニル）−１，３，５−ヘキサトリエニル）フェニル−プロピオネート（proprionate）, コレステリル１−ピレンブチレート（pyrenebutyrate）, コレステリル−１−ピレンデカノエート（pyrenedecanoate）, コレステリル１−ピレンヘキサノエート（pyrenehexanoate）, ２２−（Ｎ−（７−ニトロベンズ−２−オキサ−１，３−ジアゾール−４−イル）アミノ）−２３，２４−ビスノール（bisnor）−５−コレン（cholen）−３β−オール, ２２−（Ｎ−（７−ニトロベンズ−２−オキサ−１，３−ジアゾール−４−イル）アミノ）−２３，２４−ビスノール−５−コレン−３β−イルシス−９−オクタデセノエート（octadecenoate）, １−ピレンメチル３−（ヒドロキシ−２２，２３−ビスノール−５−コレネート（cholenate）, １−ピレン−メチル３β−（シス−９−オクタデセノイロキシ（octadecenoyloxy））−２２，２３−ビスノール−５−コレネート, アクリジンオレンジ１０−ドデシルブロマイド, アクリジンオレンジ１０−ノニルブロマイド, ４−（Ｎ，Ｎ−ジメチル−Ｎ−テトラデシルアンモニウム）−メチル−７−ヒドロキシクマリン）クロライド, ５−ドデカノイルアミノフルオレセイン, ５−ドデカノイルアミノフルオレセイン−ビス−４，５−ジメトキシ−２−ニトロベンジルエーテル, ２−ドデシルレソルフィン（dodecylresorufin）, フルオレセインオクタデシルエステル, ４−ヘプタデシル−７−ヒドロキシクマリン, ５−ヘキサデカノイルアミノエオシン, ５−ヘキサデカノイルアミノフルオレセイン,５−オクタデカノイルアミノフルオレセイン, Ｎ−オクタデシル−Ｎ'−（５−（フルオレセイニル））チオ尿素, オクタデシルローダミンＢクロライド, ２−（３−（ジフェニルヘキサトリエニル）−プロパノイル）−１−ヘキサデカノイル−ｓｎ−グリセロ−３−ホスホコリン, ６−Ｎ−（７−ニトロベンズ−２−オキサ−���，３−ジアゾル-４−イル）アミノ）ヘキサン酸, １−ヘキサデカノイル−２−（１−ピレンデカノイル）−ｓｎ−グリセロ−３−ホスホコリン, １，１'−ジオクタデシル−３，３，３'，３'−テトラメチル−インドカルボシアニン過塩素酸塩, １２−（９−アントロイロキシ（anthroyloxy））オレイン酸, ５−ブチル−４，４−ジフルオロ−４−ボラ−３ａ，４ａ−ジアザ−ｓ−インダセン（indacene）−３−ノナン酸, Ｎ−（リサミン（lissamine）（商標）ローダミンＢスルホニル）−１，２−ジヘキサデカノイル−ｓｎ−グリセロ−３−ホスホエタノールアミン, トリエチルアンモニウム塩, フェニルグリオキサル一水和物, ナフタレン−２，３−ジカルボキシアルデヒド, ８−ブロモエチル−４，４−ジフルオロ−１，３，５，７−テトラメチル−４−ボラ−３ａ，４ａ−ジアザ−ｓ−インダセン（indace ne）, ｏ−フタルジアルデヒド, リサミン（商標）ローダミンＢスルホニルクロリド, ２'，７'−ジフルオロフルオレセイン, ９−アントロニトリル（anthronitrile）, １−ピレンスルホニルクロリド, ４−（４−（ジヘキサデシルアミノ）−スチリル）−Ｎ−メチルピリジニウム（methylpyridinium）ヨウ化物, クロリン類（chlorines）（例えばクロリン（chlorin）, クロリンｅ６, ボネリン（bonellin）, モノ−Ｌ−アスパルチルクロリンｅ６, メソクロリン（mesochlorin）, メソテトラフェニルイソバクテリオクロリン及びメソテトラフェニルバクテリオクロリン）, ハイポクレリン（hypocrellin）Ｂ, プルプリン類（例えば、オクタエチルプルプリン, エチオプルプリン亜鉛（ＩＩ）, エチオプルプリンスズ（ＩＶ）及びエチルエチオプルプリンスズ）, テキサフィリン（texaphyrin）ルテチウム, フォトフリン（photofrin）, メタロポルフィリン, プロトポルフィリンＩＸ, プロトポルフィリンスズ, ベンゾポルフィリン, ヘマトポルフィリン, フタロシアニン, ナフタロシアニン, メロシアニン（merocyanines）, ランタニド錯体（lanthanide complexes）, フタロシアニン珪素, フタロシアニン亜鉛, フタロシアニンアルミニウム, オクタブチルオキシフタロシアニンゲルマニウム, メチルフェオホルビド−α−（ヘキシル−エーテル）, ポルフィセン（porphycenes）, ケトクロリン（ketochlorins）, スルホン化テトラフェニルポルフィン（tetraphenylporphines）, δ−アミノレブリン酸, テキサフィリン（texaphyrins）（例えば、１，２−ジニトロ−４−ヒドロキシ−５−メトキシベンゼン, １，２−ジニトロ−４−（１−ヒドロキシヘキシル）オキシ−５−メトキシベンゼン, ４−（１−ヒドロキシヘキシル）オキシ−５−メトキシ−１，２−フェニレンジアミン, 及びテキサフィリン金属錯体（金属Ｙ（ＩＩＩ）, Ｍｎ（ＩＩ）, Ｍｎ（ＩＩＩ）, Ｆｅ（ＩＩ）, Ｆｅ（ＩＩＩ）及びランタニド金属Ｇｄ（ＩＩＩ）, Ｄｙ（ＩＩＩ）, Ｅｕ（ＩＩＩ）, Ｌａ（ＩＩＩ）, Ｌｕ（ＩＩＩ）及び Ｔｂ（ＩＩＩ）を含む）を含む）， クロロフィル, カロチノイド, フラボノイド, ビリン, フィトクロム, フィコビリン, フィコエリトリン, フィコシアニン（phycocyanines）, レチノイン酸, レチノイン, レチナート, 又は上記化合物の任意の組み合わせが含まれるがこれらに限定されない。
【００６０】
上記化合物がそれぞれ例えば蛍光材料及び／又は光増感剤の何れに該当するかは、当業者であれば容易に認識し又は容易に決定できる。ＬＩＳＳＡＭＩＮＥ（リサミン）は、Ｎ−エチル−Ｎ−［４−［［４−［エチル［（３−スルホフェニル）メチル］アミノ］フェニル］（４−スルホフェニル）−メチレン］−２，５−シクロヘキサジエン−１−イリデン］−３−スルホベンゼン−メタナミニウム（methanaminium）水酸化物, 分子内塩（inner salt）, 二ナトリウム塩（disodium salt）及び／又はエチル［４［ｐ［エチル（ｍ−スルホベンジル）アミノ］−α−（ｐ−スルホフェニル）ベンジリデン］−２，５−シクロヘキサジエン−１−イリデン］（ｍ−スルホベンジル）アンモニウム水酸化物 分子内塩 二ナトリウム塩 (Molecular Probes, Inc., Eugene, Oreg.から商業的に入手可能) に対する商標である。本発明で使用するために好適な光活性剤としては、ほかにも、米国特許第4,935,498号に記載されたものがあり、その開示内容はすべて引照を以って繰り込みここに記載されたものとみなすが、例えば、４，５，９，２４−テトラエチル−１６−（１−ヒドロキシヘキシル）オキシ−１７メトキシペンタアザペンタシクロ−（２ ０．２．１．１３，６．１８，１１．０１４，１９）−ヘプタコサ−１，３，５，７，９，１１（２７），１２，１４，１６，１８，２０，２２（２５），２３−トリデカエンのジスプロシウム錯体及び２−シアノエチル−Ｎ，Ｎ−ジイソプロピル−６−（４，５，９，２４−テトラエチル−１７−メトキシペンタアザペンタシクロ−（２０．２．１．１３，６．１８，１１．０１４，１９）−ヘプタコサ−１，３，５，７，９，１１（２７）， １２，１４，１６，１８，２０，２２（２５），２３−トリデカエン−１６−（１−オキシ）ヘキシルホスホラミダイトのジスプロシウム錯体がこれに含まれる。
【００６１】
更に、例えば、抗体、ペプチド断片、又は生理活性リガンドのミメティクスのようなある種のリガンドは、特異的エピトープに結合したとき拮抗剤又は作用剤としてその本来的な治療効果を発揮してもよい。例えば、新生血管内皮細胞のανβ３インテグリンに対する抗体は、固体腫瘍の成長及び転移に対する一過性阻害を示した。ανβ３インテグリンに向けられた治療エマルジョンパーティクルの効果は、パーティクル自体によって導入・送達される治療剤の効果に加え、ターゲティングリガンドの改善された拮抗作用によって発揮されてもよい。
【００６２】
ターゲットと結合した音響画像化物質の温度の変化は、温度の上昇又は低下の何れでもありうる。音響画像化物質の温度が上昇させられる実施形態では、エネルギー源は、エネルギーを増加するために使用され、音響反射率の増加が測定される。
【００６３】
ターゲットナノエマルジョンの部位において、超音波、短波、マイクロ波、磁気照射、電磁エネルギー又はこれらの組み合わせを含む（但しこれらに限定されない）種々の手段によって局所的高熱（高体温）を引き起こしてもよい。そのようなエネルギーは、外部のシステムにより非侵襲的に、又はカテーテルシステムにより比較的侵襲的に印加してもよい。Yangら(Med Biol Eng Comput、1979年、17巻、518-24頁) は、マイクロ波（例えば２５００ＭＨｚ）により皮膚の表面（皮下）に対する良好な加熱が得られ、９００ＭＨｚの放射線により筋系に明らかな温度の上昇が引き起こされ、２７ＭＨｚの短波により筋層（muscle layers）に広いプラトーの温度上昇が起こる、ということを示した。これらの研究者は、局所的高熱を制御するために、波の振動数、パワー、周囲条件、血管拡張、及びコアの境界条件（core boundary conditions）どのように変化させることができるかを示した。内部に配置されマイクロ波の放射により外部から加熱される加熱ターゲットとしてのフェライト含有媒体（ferrite-impregnated medium）のフェリ磁性共鳴の使用について報告した研究者もいる。この方法により、加熱の深さは共鳴を利用しない方法に比べて５０％まで増加した。
【００６４】
侵襲が僅かしかない温熱療法は、固体腫瘍を治療するため現在利用されている癌治療法であり、この方法は、リガンド−標的化エマルジョンの温度依存性の音響的コントラスト形成を向上するための局所的発熱を生成することもできる。そのような方法により、短い時間枠の間（数マイクロ秒〜数分）高温を付与することができる。侵入型（interstitial）の加熱により、標的となる組織の体積は局在化され、周囲の正常な組織に対する熱の影響は最小に留められる。侵入型加熱エネルギーは、典型的には、レーザ光、マイクロ波、又は超音波によって送達される。ターゲット部位、アプリケータの配置及び当該部位への血液の灌流に基づいてエネルギー源を選択する。アプリケータの配置に基づく距離に応じたエネルギーの減少は、アプリケータに近いターゲットに対してより重要であるが、他方、減衰に基づくエネルギーの減少は、エネルギー源から離れたところではより重要である。従って、アプリケータに近いターゲットへの適用に対しては、レーザ光（これは組織内で著しく散乱されてしまう）が好適であり、深度がより大きい（より深い位置にある）構造（組織）の加熱に対しては、超音波又はマイクロ波がより好ましい (Skinnerら、Phys Med Biol、1998年、43巻、3535-47頁) 。
【００６５】
加熱効果には、好ましくは０．１Ｗ／ｃｍ２より大きい強度が必要である（典型的には超音波画像化分野）と考えられている。また、強度のレベルは、（例えば約２０００Ｗ／ｃｍ２のような）集中された高強度の超音波の強度より小さいものが好ましい。組織自体を損傷しないままに維持する非破壊的パルス及び強度のレベルが使用されると更に好ましい。トランスデューサの性能、識別される組織の深さ、組織の減衰、ビームの散乱及びその他の物理的特徴に応じて、強度は大きいがパルス持続時間（パルス幅）は短いものがマイクロ秒からミリ秒の範囲での適用に対して有用であると考えられている。これらのパラメータは、治療への超音波の使用に関しより一般的に使用されている収束された高強度の超音波技術からそれ自体区別される。
【００６６】
本発明の方法の他の実施形態では、音響画像化物質の温度の低下、及び反射率の減少の測定が行なわれる。温度の低下は、寒冷療法で使用される低温（cryogenic）装置のようなエネルギー吸収要素によって行なうことができる。寒冷療法は、場合により冷凍手術とも呼ばれるが、プローブを接触させて極低温を作用させることにより癌細胞を死滅させるために、プローブ内の液体窒素又は液体アルゴンをエネルギーアブソーバーとして使用する技術分野では既知である。(例えば、Leeら、Urology、1990年、54巻、135-40頁参照)。本発明の方法によれば、ターゲット組織と結合した音響画像化物質の音響反射率の減少に基づいたエネルギーアブソーバーのターゲティングのための方法と、温度の現象をモニタするための方法が提供される。
【００６７】
本発明の方法の他の実施形態では、音響画像化物質の温度を変化させるエネルギー源又はエネルギーアブソーバーが存在しない場合の音響反射率に対する、音響画像化物質の温度の変化時の音響画像化物質の音響反射率の測定が行なわれる。エネルギー源又はエネルギーアブソーバーが存在しない場合の測定は、エネルギーが変化する前か後に行なうことができる。従って、温度変化の前及び温度変化直後のコントロール条件の下で音響反射率を測定することができる。或いは、音響反射率は、エネルギー変化が達成されたとき、及び所定時間経過後エネルギー変化が消散しターゲットがエネルギー変化以前の温度に近い温度に戻ったときに測定することもできる。
【００６８】
音響反射率の差の測定は種々の方法で、例えば、反射率の差のデジタル数値表示、示差（differential）二次元又は三次元画像、色の異なる画像等として表現することができる。
【００６９】
本発明には、上記各方法を実行する装置も含まれる。本発明の装置は、温度感受性音響画像化物質が結合されるターゲットの温度の変化を測定する。本発明の装置は、音響画像化物質の温度を変化するよう構成される要素、音響エネルギーをターゲットへ送達するよう構成される超音波源、表面の音響反射率を測定するよう構成される超音波検出要素、及び温度変化がない場合のターゲットの音響反射率に対する、温度の変化時のターゲットの音響反射率を決定するコンパレータを含む。超音波送達要素及び超音波検出要素は、少なくとも１つの超音波圧電トランスデューサを有することが好ましい。温度変化要素は、超音波源、短波源、マイクロ波源、磁気照射源、電磁エネルギー源のようなエネルギー源、又は循環液体窒素又は循環液体アルゴンを含む低温要素のようなエネルギーアブソーバーから構成されうる。エネルギー変化要素は、プローブの形態をとることが好ましい。
【００７０】
本発明の装置のコンパレータ要素（比較測定器）は、エネルギー変化要素によって引き起こされる温度変化がない場合とある場合の示差測定（differential measurement）を提供する。一実施形態では、コンパレータは、エネルギー変化がない場合とある場合にそれぞれ生成される音響反射画像の減算に基づいた示差画像（differential image）を生成する画像プロセッサを有する。画像プロセッサは、減算画像（subtraction image）を生成するためのコンピュータハードウェア及びソフトウェア要素のような画像フレーム記憶要素及び／又は電子要素を含んでもよい。
【００７１】
本発明の好ましい実施形態は、以下の実施例で具体的に説明される。特許請求の範囲の射程内に含まれる他の実施形態は、本書において開示された本発明の詳細な説明又は実務を考慮することにより当業者には明らかとなるであろう。発明の詳細な説明は、実施例も同様であるが、単なる例示と考えるべきであり、本発明の保護範囲及び技術的思想は、特許請求の範囲に示されている。
【実施例１】
【００７２】
実施例１では、ペルフルオロオクタン、ペルフルオロジクロロオクタン及びペルフルオロオクチルブロマイドにおける超音波の速度の温度依存性の測定について説明する。
【００７３】
超音波の速度は、２５ＭＨｚパナメトリクス社製球面上収束トランスデューサＶ３２４(25 MHz, Panametrics V324 spherically focused transducer)を用いて決定された。測定は、湯浴中に垂直にセットされた密閉試料容器に８ｍｌのフルオロカーボンを加え、飛びとびの温度において、ペルフルオロオクタン、ペルフルオロジクロロオクタン又はペルフルオロオクチルブロマイドに対して行なった。試料容器の背面は、ステンレス鋼製の反射体から構成され、完全に閉鎖されたウェルを超えて延在し液体（水）通路測定及び試料通路測定を考慮している。ステンレス鋼反射体が音響ホログラム形成ビーム（insonifying beam）に対し垂直に配されるように試料容器を配置した。
【００７４】
トランスデューサから試料容器の前壁までの飛行時間及びトランスデューサからステンレス鋼プレートまでの飛行時間が、試料の互いに独立した（異なる）９つの位置に関して決定された。そして音速は、各温度につきそれぞれ平均して求めた。温度は、周囲の水浴を加熱しかつ試料が平衡に達するための時間（典型的には２０〜２５分）を設けることにより、２５℃から４７℃まで２℃ずつ増えるように変化させた。音速は、既に開示されているアルゴリズム (Kuoら、J．Acoust. Soc. Am.、1990年、88巻、1679-82頁) を用いて計算した。
【００７５】
音速測定の結果を図１にまとめた。他の液体ペルフルオロカーボンについて既に報告されているように、音速は、上記ペルフルオロカーボンの各々に対し、温度の上昇に応じて直線的な減少を示した。
【実施例２】
【００７６】
実施例２では、アビジン−ビオチンターゲティングのためのビオチン化マイクロエマルジョンの調製について説明する。
【００７７】
ビオチン化ホスファチジルエタノールアミンをペルフルオロカーボンマイクロエマルジョンの外側の脂質単分子膜に取り込むことによりビオチン化エマルジョンを調製した。調製したマイクロエマルジョンは、以下のように、水中にペルフルオロオクタン (４０％ Ｗ／Ｖ， ３Ｍ), 植物油 (２％ Ｗ／Ｖ)， 界面活性剤共混合物 (２．０％， Ｗ／Ｖ) 及びグリセリン (１．７％， Ｗ／Ｖ) を含む。界面活性剤共混合物は、６４モル％レクチン (Pharmacia, Inc), ３５モル％コレステロール (Sigma Chemical Co.)及び １モル％ Ｎ−（６−（ビオチノイル）アミノ）ヘキサノイル）−ジパルミトイル−Ｌ−α−ホスファチジル−エタノールアミン, Pierce, Inc.) をクロロホルム中に溶解することにより調製した。クロロホルム−脂質混合物は、減圧蒸発し、５０℃の真空窯で一晩乾燥し、そして超音波処理により水中へ分散させた。そして、懸濁液を、フルオロカーボン、植物油、グリセリン、及び脱イオン蒸留水と共に、ブレナーカップ (Dynamics Corporation of America) に移し、３０〜６０秒間乳化処理した。乳化混合物をMICROFLUIDICS emulsifier (Microfluidics Co.) に移し、３分間20,000 PSIで連続的に処理した。出来上がったエマルジョンを、ガラス瓶に入れ、窒素を充填し、使用するまで圧着密閉栓（stopper crimp seal）で密閉する。パーティクルの大きさ（径）は、レーザ光散乱微小粒子径分析機（laser light scattering submicron particle size analyzer） (Malvern Zetasizer 4, Malvern Instruments Ltd, Southborough, Mass.)を用い、３７℃で３回測定した。その結果、パーティクルの大きさは、平均粒子径４００ｎｍ未満であり、径分布も狭かった。
【実施例３】
【００７８】
実施例３では、ナノパーティクルがＦ（ａｂ）フラグメントと結合するエマルジョンの調製に使用可能な方法を説明する。
【００７９】
エマルジョンのターゲティングは、脂質単分子膜に取り込まれたプライマー材料を介して、抗体をナノパーティクルに直接化学的に結合することにより達成することができる。ペルフルオロカーボンナノパーティクル造影剤（画像化剤）は、実施例１で説明したようにして調製される。
【００８０】
Ｆ（ａｂ）フラグメントは、イムノピュアＦ（ａｂ）調製キット (Pierce, Rockford, IL)を用いて生成及び単離される。簡単に説明すれば、ＩｇＧを２０ｍＭリン酸／１０ ｍＭ ＥＤＴＡバッファ（ｐＨ ７．０）で透析し、２０ｍｇ／ｍｌに濃縮し、固定化パパインで消化する。可溶化されたＦ（ａｂ）は、プロテインＡカラムを用いて、Ｆｃフラグメント及び未消化のＩｇＧタンパクから精製する。Ｆ（ａｂ）フラグメントは、Ｇ２５−１５０カラムと脱酸素リン酸バッファー（ｐＨ６．７）を用いて、過剰のシステインから精製する。フラクションの同定は、通常のごとく、ＳＤＳ−ＰＡＧＥによって行なう。
【００８１】
Ｆ（ａｂ）の各フラクションをプールし、プライマー導入エマルジョンと混合する （エマルジョン１ｍｌ当りＦ（ａｂ）１〜２ｍｇ）。混合物をｐＨ６．７に調節し、窒素を封入して密閉し、外界温度で穏やかに連続的に混合して一晩反応させる。混合物は、次に、結合しなかったＦ（ａｂ）フラグメントを除去するために、300,000 MWCO Spectra/Por DispoDialyzer (Laguna Hills, CA)を用い、１０ｍＭリン酸バッファ（ｐＨ７．２）に対して透析してもよい。最終的に得られたエマルジョンは、ガラス瓶に入れ窒素を封入し、使用するまで４℃で保存する。上記の方法において、関連性のないコントロールＩｇＧ Ｆ（ａｂ）フラグメントを用いることにより、非特異的コントロール用エマルジョンを調製することができる。
【実施例４】
【００８２】
実施例４では、アビジン−ビオチン結合体を有するターゲットと結合したマイクロエマルジョン超音波造影剤を用いたニトロセルロース膜の温度依存性ターゲティングについて説明する。
【００８３】
音響反射後方散乱を測定するための超音波データの取得のセットアップ及び分析は以下のように行なった。２５ＭＨｚ球面状収束トランスデューサ（spherically focused transducer） (直径０．６３ｍｍ, 焦点距離２．５４ｍｍ, Panametrics V324) を３つの垂直そり（orthogonal sleds）からなるガントリーに取り付けた。トランスデューサは、１００μｍの分解能を持つコンピュータ制御運動コントローラ (Aerotech Unidex 12) により、ラスタ走査パターンに従って摺動された。モータコントローラからモータに送信されるパルス列は、デジタルカウンタ (National Instruments PCI-1200) で計数され、そして、デジタル遅延生成器（digital delay generator） (Stanford Research Systems DG535)のために（１つの）トリガが生成された。そして、遅延生成器は、パルス発生器 (Panametrics 5900) とデジタイジング（digitizing）オシロスコープ (Hewlett-Packard 54510B) とに対し（１つの）トリガを送信し、リアルタイムデジタイザ (Tektronix RTD720A) に対し（１つの）遅延トリガを送信した。トランジューサが６８×６８（６．８ｍｍ×６．８ｍｍ）グリッド内の凝（血）塊（clot）の表面に亘って１００μｍの分解能で走査されるとき、後方散乱された超音波を表すトレースが、実行中に捕捉された。そして、トレースは、画像再構成とデータ記憶のために、リアルタイムデジタイザからＧＰＩＢを介して制御コンピュータ (Apple Power Macintosh 7300) へ伝送された。データ取得には、典型的に、１スキャン当り約４分かかった。
【００８４】
試料容器は、試料の音響ホログラム（insonification）の形成を可能にする音響アパーチャを有する完全に閉鎖されたウェルから構成される。試料容器は、２つのポートを介し、試料への造影剤の散布を可能にするシリコンチューブ (Masterflex Platinum, 内径1/8インチ) に取り付けられた。２０ ｍＬ／ｍｉｎの速度の流量を供給するためにローラポンプ（roller pump） (Masterflex, Cole-Panner Inc.) を使用した。フローシステムには、５０ｎｍのリン酸バッファを２０ｍＬ充填した。試料容器及び封入された試料は、垂直に載置され、造影剤の受身的な（passive）沈殿が起こらないようにした。試料を最初に配置した後、注入ポートを介して１００μＬの造影剤を瞬時投与し、最初と、６０分の照射後に超音波モニタリングを行なった。そして、試料容器とチューブをリン酸バッファでフラッシュした。
【００８５】
画像形成により造影剤のターゲティングが成功したことを確認した後、温度調節器 (DigiSense, Cole-Parmer Inc.) によって制御される投入ヒータを用いて２７℃から４７℃まで温度を５℃ずつ上昇した。水浴全体を磁気スターラープレート上に載置して、適切に攪拌し水浴内全体の温度分布が一様になるようにした。温度の（５℃ごとの）各測定点において、ステンレス鋼プレートからの反射を観察することによりトランスデューサの焦点を求めた。そして、試料（容器）の前壁をトランスデューサの焦点の位置にセットした。
【００８６】
反射された超音波信号は全波整流され、ピーク検出ｃ−スキャン画像の描画に使用されて、凝塊又はニトロセルロース試料の周りに目的のユーザ定義領域を描くことができるようにした。試料の表面からの超音波の問合せ波（interrogating wave）の反射を表す信号は、矩形ウィンドウ関数（rectangular windowing function）によって分離された。ウィンドウの位置決めは、ウィンドウのエッジをニトロセルロース紙の前壁エコーと後壁エコーの間の中間に位置付ける自動アルゴリズムによって、ニトロセルロース試料の場合注意深く調節した。そして、分離した信号を高速フーリエ変換し、使用可能な帯域幅 (１７〜３５ＭＨｚ, １０ｄＢ下がった点のところで求めた) に亘る平均のパワーを対数で（in the logarithmic domain）計算した。そして、この「集積されたパワー（integrated power）」は、目的の領域の全ての点に対して選別され、最も明るい１００個の点を分析のために記憶した。スキャンの際の各点において求められた集積パワーもまた凝塊の超音波増強における変化の画像を描画するために使用した。周波数依存性の反射増強は、最も明るい１００個の点に対して平均が取られ、そしてコントロールスキャンに関する反射増強を減算することにより正規化（normalize）した。各試料に対しそれぞれこのプロセスを実行した。
【００８７】
in vitroでの温度依存性ターゲットエマルジョンのアビジン−ビオチンターゲティングのために、ニトロセルロース膜は以下のようにして調製した。ニトロセルロース平膜を、ジアミノヘキサンスペーサと結合するコントラストのために調製し、タンパク質結合体（複合体）のためにグルタルアルデヒドによって活性化した。ニトロセルロースディスク（直径２．４ｃｍ）を１，６ジアミノヘキサン (２．５％ Ｗ／Ｖ、 ｐＨ １１．９)に浸沈して６０分間一定速度で回転的に攪拌した。次に、これらの膜を、まず１Ｍ酢酸中で約１２時間、次いで超純水中で１２時間一定速度で攪拌することにより洗浄した。この洗浄の際、酢酸と超純水は、それぞれ数回交換した。そして、ジアミノアルカンで修飾されたニトロセルロース膜を１５分間０．５Ｍ ＮａＨＣＯ３／Ｎａ２ＣＯ３（ｐＨ １０）中の１％グルタルアルデヒドにさらし、そして超純水中で３時間洗浄した（その際超純水は数回入れ替える）。ジアミノヘキサンで修飾されグルタルアルデヒドで活性化されたニトロセルロース膜は、使用するまで４℃で乾燥保存した。
【００８８】
０．１Ｍリン酸緩衝食塩水（ＰＢＳ）(ｐＨ ７．２−７．４) に溶解したアビジン（５０μｇ）を、マイクロリットルシリンジを用いて、各ニトロセルロース膜の中心にスポット滴下して風乾し、乾燥させた。次に、膜をそれぞれ、ＰＢＳ−０．１％Ｔｗｅｅｎ２０を５分毎に３回交換することによって洗浄した。２０分間アビジンを適用した後結合されずに残っているグルタルアルデヒド活性化タンパク質結合部位をブロックするために、ＰＢＳ−０．１％Ｔｗｅｅｎ２０に懸濁した脱水粉乳を加えた。過剰のタンパク質は、等張ＰＢＳの５分間洗浄を３回繰り返して除去した。
【００８９】
５つのアビジン導入ニトロセルロースディスクと５つのコントロールニトロセルロースディスクを、ビオチン化ペルフルオロオクタンパーティクルに曝すために使用した。音響画像化により造影剤のターゲティングが成功したことを確認した後、温度調節器 (DigiSense, Cole-Parmer Inc.) によって制御される投入ヒータを用いてターゲット試料の温度を２７℃から４７℃まで５℃ずつ増加した。水浴全体を磁気スターラープレート上に載置して、適切に攪拌し水浴内全体の温度分布が一様になるようにした。温度の（５℃ごとの）各測定点において、ステンレス鋼プレートからの反射を観察することによりトランスデューサの焦点を求めた。そして、試料（容器）の前壁をトランスデューサの焦点の位置にセットした。
【００９０】
図２に、ターゲット及びコントロールニトロセルロース膜に関する温度に応じた超音波反射力の変化を示した。これらの膜には、アビジンが一滴滴下されており、そのスポットはほぼ完全な円形をなしている。図２の各写真は、２７℃の基準温度から各温度の測定点のそれぞれへ移行する場合の反射の増強に関する変化を示している。色の濃い部分は、濃さが大きいほど増強の変化も大きいことを表しており、コントロールニトロセルロースと比較すると、ターゲットニトロセルロースではかなり増加していることを見出すことができる。
【００９１】
ニトロセルロース膜試料の各々に対し最も明るい１００個の部位を選択し、平均の周波数依存性反射増強を求めた。そして、各曲線を正規化して、同じ温度のコントロールニトロセルロース膜に対する反射増強を求めた。
【００９２】
更に、温度と共に増加する超音波後方散乱増強を、帯域幅(17〜34 MHz)を限定した平均によって図３に示した。結合ナノパーティクルと基質との間の温度の増加と共に生じるインピーダンスのミスマッチの増加により、ターゲット基質からの反射増強は改善される。ニトロセルロースに対するコントラストの増強と温度との間の相関（Ｒ＝０．９５）は優れている。図３に、反射増強の変化を温度の関数として定量化した。全体として、反射増強の増加は、ニトロセルロースに対し０．０８ ｄＢ／Ｃである。
【実施例５】
【００９３】
実施例５では、アビジン−ビオチン結合体を有するターゲットと結合したマイクロエマルジョン超音波造影剤を用いたニトロセルロース膜上の血漿の豊富な血漿凝血塊の温度依存性ターゲティングについて説明する。
【００９４】
ビオチン化１Ｈ１０抗体を、ＥＺ−ＬＩＮＫ Ｓｕｌｆｏ−ＮＨＳ−ＬＣ−ビオチン化キットを用いて調製した。簡単に説明すると、リン酸緩衝食塩水１ｍＬ中の抗体２〜１０ｍｇを蒸留水中のＳｕｌｆｏ−ＮＨＳ−ＬＣ−ビオチン混合して、１２〜２０倍Ｍの過剰試薬を抗体に供した。そして、この溶液を室温で３０分間インキュベートした。ビオチン化された抗体は、１０ｍＬ脱塩カラムを用いて試薬から分離した。リン酸緩衝食塩水で平衡と溶出を行なった。溶出液のフラクションを収集し、ＵＶ吸光度を分光光度計を用いて２８０ｎｍで測定した。抗体を含むフラクションは、使用するまで４℃で保存した。
【００９５】
膜上に置いたプラスチックモールド内で、ヒトクエン酸添加血漿（３７５μｌ）及び１００ｍＭ塩化カルシウム（２５μｌ）を３単位のトロンビンと混合することにより、ニトロセルロース膜表面上に血漿凝血塊が生成した。血漿は外界温度でゆっくりと凝固させ、そしてＰＢＳに移してコントロール又はターゲットコントラストシステムに曝すまで保存した。
【００９６】
凝血塊（ｎ＝９）をビオチン化１Ｈ１０抗体と共にＰＢＳ中で穏やかに攪拌しながら４℃の冷蔵室内で一晩インキュベートした。そして、凝血塊をリンスし、室温で１時間穏やかに攪拌しながら１００μｇのアビジンに曝した。そして、凝血塊を再びリンスし、実施例４に記載したように造影剤に曝す準備をした。ビオチン化抗体又はアビジンでプレターゲットしていないコントロール凝血塊（ｎ＝７）を同じ方法でビオチン化造影剤に曝した。
【００９７】
実施例４と同様に音響反射率の測定を行なった。自然のヒト血漿凝血塊の本来的に乏しいエコー発生性を図４の左側の部分に示した。図４に、造影剤導入前後の血漿凝血塊の集積反射力に関する２つの画像を示した。これらの画像のグレースケールは、反射増強の対数で表されている。右側の写真の色のより濃い部分は、部位特異的超音波造影剤の存在によって凝血塊の増強が増加されている領域を表している。
【００９８】
図４に示したものと同じ血漿凝血塊を図５にも示したが、図５では、グレースケールは、２７℃の基準温度から５℃ずつの温度の上昇により引き起こされた増強の変化を表している。ターゲットニトロセルロースの場合と同様に、ターゲットヒト血漿凝血塊も、温度に従いエコー発生性にかなりの増加を示し、他方コントロール凝血塊（これらは造影剤に曝されていない）は、この温度の範囲では殆ど変化を示さない。図６に、トランスデューサの使用可能な帯域幅（１７〜３４ＭＨｚ）に亘って平均された凝血塊の最も明るい１００個の部位に関する反射増強の結果を示した。この反射増強対温度のプロットに直線を嵌め込むと相関係数Ｒ＝０．９９と傾き０．２１ｄＢ／Ｃが得られる。
【００９９】
比較を行なうと、コントロールニトロセルロースとコントロールヒト血漿凝血塊は、何れも、温度の上昇に対し反射力の僅かな変化しか示さなかった。これに対し、ターゲット又は増強基質は、何れも、５℃程度の温度の変化に対しても（反射）増強に関し検出可能な変化を示した。この示差音響反射応答（differential acoustic reflectivity response）は、コントラストのあるターゲット及び非ターゲット表面の間のセグメント形成、及びカラー化、デジタル減算（subtraction）又はその他の類似の方法による画像表現の向上に利用することができる。ターゲット組織の検出感度の向上、並びに臨床上の読取者への表示及び該読取者の認識を改善する能力により、その他の方法では正しく認識できなかったような病状の認識を大きく改善することができるであろう。
【実施例６】
【０１００】
実施例６では、ヒト血漿凝血塊と結合したアビジン−ビオチンターゲットフルオロカーボンエマルジョンの音響反射率に関する温度依存性の変化のヒステリシスの欠如について説明する。
【０１０１】
温度の効果の可逆性を試験するために、２つのヒト血漿凝血塊試料を加熱してから冷却し、実施例３に記載した方法を用いて温度の各測定点に対して反射（率）増強を記録した。ヒステリシス曲線を図７にプロットした。測定の誤差バーの範囲内では、増強の大きさは、各温度において同一であり、温度の変化の方向に依存していなかった。選択されたフルオロカーボン、即ちペルフルオロオクタンの沸点（１０５℃）及び試料がその中で音響ホログラム化される３７℃の水浴の熱消散効果を考慮すれば、この結果により、ターゲット組織の音響反射の増強又は減少は、結合エマルジョンパーティクルの音響インピーダンスの温度依存性の変化に基づくのであって、フルオロカーボンの気体状態への相転移に基づくのではないということが確認される。
【実施例７】
【０１０２】
実施例７では、特に腫瘍量の形態の検出、局在化及び画定（defining）に関する高熱（高体温）療法と組み合わせた本発明の超音波画像化への適用及び高熱のモニタリングに使用可能な方法及び装置について説明する。
【０１０３】
現在、種々の癌、とりわけ８ｃｍ未満の深さの癌に対する効果増強（augmentive）治療としての放射線腫瘍学と組み合わせた種々の形態の温熱療法が使用されている。この応用に対して現在使用されている装置の１つとして、Labthermics Technologies, Champaign, IL製のSonotherm（登録商標）1000がある。適切な組織温熱療法は、周囲の正常組織に対する処置を最小にして腫瘍を加熱することに関わっている。SONOTHERM 1000は、特定の組織量を小さな立方体の治療ボクセルに分ける能力を有する。超音波アレイの異なる成分の周波数と強度を調節することにより、「適切な」加熱パターンが達成される。
【０１０４】
とりわけ小さい腫瘍を識別することの困難性に関する、この療法全体に関する鍵は、（１）三次元体積空間における腫瘍の正確な局在化及び形態描画、及び（２）腫瘍死滅と正常側枝組織の保存を保証する組織加熱プロセスにおける非侵襲型温度測定である。本発明の温度依存性超音波造影剤は、とりわけ癌が小さいか、バックグランドが本来的に音響反射性である場合に、高分解能検出、局在化、二次元又は三次元空間における腫瘍のマッピングを大きく増強する。このことは、ナノパーティクルターゲット組織と周囲の正常組織の示差（differential）超音波応答によって達成される。更に、音響後方散乱の温度依存性の変化は内部温度測定として使用することもできるため、ターゲット組織を適切なレベルに加熱し、他方他の組織の加熱を最小化することを保証する。この高分解能非侵襲型温度測定は、操作者が組織の温度をモニターしかつ温熱療法プロトコールを手動で調節できるようにするために、スケール化（scaled）カラーマップを使用することにより常にリアルタイムで表示することもできる。或いは、自己モニタリングアルゴリズムを有する温熱装置により、「実行中に」自動で超音波ビームを調節することもできる。
【０１０５】
腫瘍のような病状は、通常の超音波によっては正常な組織から区別することが困難であり、特殊なコントラスト増強から利益が得られることがしばしばある。不利なことには、隣接する組織の大きな音響反射率は、ターゲット分子造影剤を用いた場合であっても、達成されるコントラストの増強の大きさを減じることがよくある。温度依存性ターゲット分子造影剤を使用する可能性により、更に、正常周囲組織に対するターゲット組織からの音響信号を増加することによって病的組織から正常組織を区別するための独特の機構が提供される。この特徴により、生検又は外部放射又は温熱療法のための、腫瘍、とりわけ小さい腫瘍の区分（セグメンテーション）及び局在化が改善される。改善された局在化により、外部の治療エネルギー源のより正確なフォーカシングが可能となり、治療の効率は最大化されかつ側枝（二次的）損傷は最小化される。更に、周囲組織に対し増加された音響後方散乱の大きさにより、非侵襲型の温度測定が提供される。ターゲット部位における適切なレベルの加熱をモニターし及び手動で制御するか高熱装置内部の自己制御システムによって（自動的に）制御することもできる。技術上の利点から、直ちに乳癌、悪性黒色腫、肉腫、リンパ腫、頭部及び頸部癌の治療、及び近いうちに、大腸（結腸）、子宮頸、子宮、肝臓、膵臓、胃等のようなより深い位置に生じる腫瘍の治療に対する適用を考えることができる。
【０１０６】
例えば、乳癌の患者又は動物が病院に入院し、静脈カテーテルを受けるとする。新生血管細胞のανβ３インテグリンに向けられたモノクローナル抗体フラグメントを有する温度感受性音響ナノパーティクルを、０．１〜１．０ｍＬ／ｋｇ（体重）、好ましくは０．２５〜０．５ｍＬ／ｋｇ（体重）の量で投与する。剤を１５分〜５時間、好ましくは１〜２時間循環させて、新生血管組織レセプタを飽和させる。Agilent (Andover, Mass.), Acuson (Mountainview, Calif.), ATL (Bothel, Wash.), GE (Farifield, Conn.) Toshiba (Tokyo, JP)製の装置及び類似の装置のような商業的に入手可能な標準的な超音波画像形成装置を使用することにより基準の超音波画像が得られる。音響温度記録法（Sonothermography）は、SONOTHERM 1000 Therapy system (Labthermics Technologies, Champaign, Ill.) 又は製造業者の推薦する関連装置によって、疑わしい塊の存在が予想される位置に対して行なうことができる。SONOTHERM 1000は、選択された領域の組織の温度（４２℃〜４５℃）に間欠的上昇（持続時間はそれぞれ１０秒未満）を繰り返し引き起こす。ナノパーティクルで標的された腫瘍血管系と周囲の正常組織の音響コントラストの示差的変化（differential changes）が、腫瘍量（tumor burden）のモルフォロジを特異的に検出、局在化及び画定するために使用される。これらの結果は、SONOTHERM 1000のプログラムに組み込まれ、与えられるべき高熱照射のための位置及び分布はより正確にされる。続いて行なわれる高温療法セッション中はいつでも、ターゲット組織の各領域内におけるターゲットナノパーティクルにより与えられる音響後方散乱の温度依存性の変化を、深部の腫瘍温度を非侵襲的に決定するために使用することもできる。この情報により、できるだけ厳しい許容度で高温プロトコールを精密かつ連続的に制御することができるため、正常組織の側枝（二次的）損傷は最小化され、この方法の全体としての安全性も向上する。
【実施例８】
【０１０７】
実施例８では、カテーテル用侵襲型温熱療法に本発明を適用するのに使用可能な方法及び装置について説明する。
【０１０８】
標的化された温度依存性ナノパーティクルは、以下のようにカテーテルシステムで使用することもできる。治療及び手術に適用するために高度に収束された熱を生成することが可能な種々の治療用超音波カテーテルが開発された。そのような装置の一例として、Leeら (IEEE transactions of Biomedical Engineering. 1999年、4巻、880-90頁) によって記載されたマルチエレメントアレイシステム（multielement array system）がある。このユニットは、in vitro及びin vivoの両方で実施され、３０ｍｍ×３０ｍｍ×３５ｍｍのターゲット体積の９２％以上で治療温度の上昇（５℃以上）を達成した。これ及び類似の装置により、温度分布の精密な制御を行なうことができる。この温熱（療法）カテーテルシステムを、商業的に利用可能な静脈内超音波トランスデューサ技術と組み合わせることにより、１０〜５０ＭＨｚの範囲の周波数における加熱された組織の精細かつ緻密な超音波画像を（両者に対し）生成することができた。これらの映像化／治療カテーテルデュアルシステムは、内視鏡及び静脈内適用の両方に使用することができた。
【０１０９】
温熱療法及び超音波システムのためのカテーテルは、以下のような癌の治療に使用することができる。膵臓癌が疑われる患者を病院に入院させ、静脈カテーテルを行なう。新生血管細胞のανβ３インテグリンに向けられたモノクローナル抗体フラグメントを有する温度感受性音響ナノパーティクルを、０．１〜１．０ｍＬ／ｋｇ（体重）、好ましくは０．２５〜０．５ｍＬ／ｋｇ（体重）の量で投与する。剤を１５分〜５時間、好ましくは１〜２時間循環させて、新生血管組織レセプタを飽和させる。治療／画像化超音波組合せカテーテルを進行させ、経胃／経十二指腸（transgastric/transduodenal）アプローチからの膵臓の画像を得る。膵臓腫瘍の診断、位置及び程度が上述のような温度依存性画像化プロトコールによって確認される。局所的温熱療法を行なうために腫瘍の音響ホログラムを生成する。ターゲット組織の温度は、音響後方散乱の変化によって連続的にモニターされる。漸増する温度変化は、繰り返し更新され操作者によって観察される超音波画像ディスプレイ上でカラーマッピングされる。腫瘍破壊を最適化し、正常組織の二次的（側枝）損傷を最小化するために、操作者が手動で又は装置が自動的に超音波ビームの強度又は周波数を調節する。
【０１１０】
上述したことを鑑みると、本発明の幾つもの利点が達成され、他の有利な結果が得られる事が分かる。
【０１１１】
本発明の範囲から逸脱しない範囲において上記の方法及び構成に種々の変更を行なうことができるが、そのため上記の説明に含まれる全ての内容は単なる例として説明したのであって、これらに限定することは意図しない。
【０１１２】
この明細書で引用した文献はすべて、引照によって本書に繰り込まれているものとする。これら文献に関する議論は、その著者によりなされた主張を単にまとめたものに過ぎず、何れの文献も従来技術を構成するものとは認めない。出願人は、上記各文献の正確さ及び適切さについて争う権利を留保する。
【図面の簡単な説明】
【０１１３】
【図１】媒質ペルフルオロカーボン、即ちペルフルオロオクタン（ＰＦＯ）、ペルフルオロジクロロオクタン（ＰＦＤＣＯ）、及びペルフルオロオクチルブロマイド（ＰＦＯＢ）に関する、温度上昇に伴う音の伝播速度の減少。
【図２】温度３２℃、３７℃、４２℃、及び４７℃に関し、２７℃で測定された反射率を超える反射率の増加を示すニトロセルロース膜から得た示差（differential）超音波画像。各図において、灰色が濃いほど反射率の増加はより大きい。
【図３】ターゲットニトロセルロース膜とコントロールとの間の、温度の関数としての超音波反射力の相対変化。
【図４】造影剤によるターゲティング前後（前：左図、後：右図）におけるヒトフィブリン凝（血）塊からの超音波反射。各図において、灰色が濃いほど反射も大きい。
【図５】温度３２℃、３７℃、４２℃、及び４７℃に関し、２７℃で測定された反射率を超える反射率の増加を示すニトロセルロース膜上のヒト血漿凝血塊から得た示差超音波画像。各図において、灰色が濃いほど反射率の増加はより大きい。
【図６】ニトロセルロース膜上のターゲットヒト血漿凝血塊とコントロールとの間の、温度の関数としての超音波反射力の相対変化。
【図７】加熱（■印）後冷却（○印）した場合の、温度の関数としてプロットされたヒト血漿凝血塊からの反射増強のヒステリシスの欠如。
【図１】
2005503836.tif 000002
【図２】
2005503836.tif 000003
【図３】
2005503836.tif 000004
【図４】
2005503836.tif 000005
【図５】
2005503836.tif 000006
【図６】
2005503836.tif 000007
【図７】
2005503836.tif 000008
【国際公開パンフレット】
2005503836.tif 000009
2005503836.tif 000010
2005503836.tif 000011
2005503836.tif 000012
2005503836.tif 000013
2005503836.tif 000014
2005503836.tif 000015
2005503836.tif 000016
2005503836.tif 000017
2005503836.tif 000018
2005503836.tif 000019
2005503836.tif 000020
2005503836.tif 000021
2005503836.tif 000022
2005503836.tif 000023
2005503836.tif 000024
2005503836.tif 000025
2005503836.tif 000026
2005503836.tif 000027
2005503836.tif 000028
2005503836.tif 000029
2005503836.tif 000030
2005503836.tif 000031
2005503836.tif 000032
2005503836.tif 000033
2005503836.tif 000034
2005503836.tif 000035
2005503836.tif 000036
2005503836.tif 000037
2005503836.tif 000038
2005503836.tif 000039
2005503836.tif 000040
2005503836.tif 000041
2005503836.tif 000042
2005503836.tif 000043
2005503836.tif 000044
2005503836.tif 000045
2005503836.tif 000046
2005503836.tif 000047
2005503836.tif 000048
2005503836.tif 000049
2005503836.tif 000050
2005503836.tif 000051
2005503836.tif 000052
2005503836.tif 000053
2005503836.tif 000054
2005503836.tif 000055
2005503836.tif 000056
2005503836.tif 000057
2005503836.tif 000058
2005503836.tif 000059
2005503836.tif 000060
2005503836.tif 000061
2005503836.tif 000062
2005503836.tif 000063
2005503836.tif 000064
2005503836.tif 000065
2005503836.tif 000066
2005503836.tif 000067
2005503836.tif 000068
2005503836.tif 000069
【国際公開パンフレット（コレクトバージョン）】
2005503836.tif 000070
【国際公開パンフレット（コレクトバージョン）】
2005503836.tif 000071
2005503836.tif 000072
2005503836.tif 000073
2005503836.tif 000074
2005503836.tif 000075
2005503836.tif 000076
2005503836.tif 000077
2005503836.tif 000078
2005503836.tif 000079
2005503836.tif 000080
2005503836.tif 000081
2005503836.tif 000082
2005503836.tif 000083
2005503836.tif 000084
2005503836.tif 000085
2005503836.tif 000086
2005503836.tif 000087
2005503836.tif 000088
2005503836.tif 000089
2005503836.tif 000090
2005503836.tif 000091
2005503836.tif 000092
2005503836.tif 000093
2005503836.tif 000094
2005503836.tif 000095
2005503836.tif 000096
2005503836.tif 000097
2005503836.tif 000098
2005503836.tif 000099
2005503836.tif 000100
2005503836.tif 000101
2005503836.tif 000102
2005503836.tif 000103
2005503836.tif 000104
2005503836.tif 000105
2005503836.tif 000106
2005503836.tif 000107
2005503836.tif 000108
2005503836.tif 000109
2005503836.tif 000110
2005503836.tif 000111
2005503836.tif 000112
2005503836.tif 000113
2005503836.tif 000114
2005503836.tif 000115
2005503836.tif 000116
2005503836.tif 000117
2005503836.tif 000118
2005503836.tif 000119
2005503836.tif 000120
2005503836.tif 000121
2005503836.tif 000122
2005503836.tif 000123
2005503836.tif 000124
2005503836.tif 000125
2005503836.tif 000126
2005503836.tif 000127
2005503836.tif 000128
2005503836.tif 000129
【国際調査報告】
2005503836.tif 000130
2005503836.tif 000131